(57)【特許請求の範囲】
【請求項１】
前方に開口を有する筐体と、
前記筐体に対して回動可能に取り付けられることで前記開口を開閉可能な状態で閉塞させる前扉と、
所定の遊技操作を契機に入賞役を抽選する抽選手段と、
前記筐体の壁面に形成された貫通孔を介しての筐体の外部から電力が供給され、供給された電力から所定の電圧値の電力を生成して前記抽選手段に供給する電源ユニットとを備えた遊技機であって、
前記筐体と前記前扉によって閉塞される空間の内部に設けられ、筒状に形成された設定用シリンダ錠本体と、
設定キーと嵌合する設定キー嵌合部を有し、前記設定用シリンダ錠本体の筒内に挿入され、当該筒内で係止固定状態及び回転可能な状態の何れか一方の状態にあり、前記設定キー嵌合部が前記設定キーと嵌合することで前記筒内での係止固定状態を解除する設定用シリンダ錠ロータと、
前記設定用シリンダ錠ロータの回動角が前記係止固定状態から順次並ぶ第１乃至第３の回動範囲の何れにあるかを検出する設定用シリンダ錠ロータ回動角検出手段と、
前記設定用シリンダ錠ロータ回動角検出手段の検出結果が第２の回動範囲にある時間を検出し、この検出時間が所定の時間内にあるか否かを判別する時間判別手段と、
前記設定用シリンダ錠ロータ回動角検出手段の検出結果が第１乃至第３の回動範囲を順番に連続して示した場合に、前記設定キーに対して設定変更許可操作が行われたと判別する設定変更許可操作判別手段と、
前記設定変更許可操作判別手段の判別結果に基づいて前記入賞役の抽選確率の設定を表示する設定表示手段と、
操作入力が可能な設定変更用操作入力手段と、
前記設定変更許可操作判別手段によって前記設定変更許可操作が行われたと判別された場合に限り、前記設定変更用操作入力手段からの操作入力に基づいて前記抽選手段における前記入賞役の抽選確率の設定変更を行う設定変更手段と、
前記時間判別手段の判別結果が所定の時間を超えたことを示した場合に、異常が発生したと見なす異常判別手段と、
前記異常判別手段が異常の発生を示した場合に、前記設定変更許可操作判別手段による設定変更許可操作の判別を無効とする制御手段と、
前記異常判別手段が異常の発生を示した場合に、異常を報知する異常報知手段とを備え、
前記設定用シリンダ錠ロータ回動角検出手段は、
前記設定用シリンダ錠ロータに連接された棒状の可動接点と、
絶縁部上に、該可動接点の回動中心と同心円状に離間配置され、該可動接点の回動位置に応じて該可動接点に接触する第１乃至第３の固定接点とを有し、
施錠状態では、前記可動接点の一端側が前記第１の固定接点に接触し、前記可動接点の他端が前記第３の固定接点に接触し、
前記第１の回動範囲は、前記可動接点の一端側が前記第１の固定接点上を摺動している状態を示し、
前記第２の回動範囲は、前記可動接点の一端側が前記第１の固定接点と前記第２の固定接点との間の前記絶縁部上を摺動している状態を示し、
前記第３の回動範囲は、前記可動接点の一端側が前記第２の固定接点上を摺動している状態を示している
ことを特徴とする遊技機。
【請求項２】
前方に開口を有する筐体と、
前記筐体に対して回動可能に取り付けられることで前記開口を開閉可能な状態で閉塞させる前扉と、
所定の遊技操作を契機に入賞役を抽選する抽選手段と、
前記筐体の壁面に形成された貫通孔を介しての筐体の外部から電力が供給され、供給された電力から所定の電圧値の電力を生成して前記抽選手段に供給する電源ユニットとを備えた遊技機であって、
前記筐体と前記前扉によって閉塞される空間の内部に設けられ、筒状に形成された設定用シリンダ錠本体と、
設定キーと嵌合する設定キー嵌合部を有し、前記設定用シリンダ錠本体の筒内に挿入され、当該筒内で係止固定状態及び回転可能な状態の何れか一方の状態にあり、前記設定キー嵌合部が前記設定キーと嵌合することで前記筒内での係止固定状態を解除する設定用シリンダ錠ロータと、
前記設定キー嵌合部に対する前記設定キーの嵌合を検出する設定キー嵌合検出手段と、
前記設定用シリンダ錠ロータの回動角が前記係止固定状態から順次並ぶ第１乃至第３の回動範囲の何れにあるかを検出する設定用シリンダ錠ロータ回動角検出手段と、
前記設定キー嵌合検出手段が前記設定キーの嵌合を検出してから前記設定用シリンダ錠ロータ回動角検出手段の検出結果が第１の回動範囲にある時間を検出し、この検出時間が所定の時間内にあるか否かを判別する時間判別手段と、
前記設定用シリンダ錠ロータ回動角検出手段の検出結果が第１乃至第３の回動範囲を順番に連続して示した場合に、前記設定キーに対して設定変更許可操作が行われたと判別する設定変更許可操作判別手段と、
前記設定変更許可操作判別手段の判別結果に基づいて前記入賞役の抽選確率の設定を表示する設定表示手段と、
操作入力が可能な設定変更用操作入力手段と、
前記設定変更許可操作判別手段によって前記設定変更許可操作が行われたと判別された場合に限り、前記設定変更用操作入力手段からの操作入力に基づいて前記抽選手段における前記入賞役の抽選確率の設定変更を行う設定変更手段と、
前記時間判別手段の判別結果が所定の時間を超えたことを示した場合に、異常が発生したと見なす異常判別手段と、
前記異常判別手段が異常の発生を示した場合に、前記設定変更許可操作判別手段による設定変更許可操作の判別を無効とする制御手段と、
前記異常判別手段が異常の発生を示した場合に、異常を報知する異常報知手段とを備え、
前記設定用シリンダ錠ロータ回動角検出手段は、
前記設定用シリンダ錠ロータに連接された棒状の可動接点と、
絶縁部上に、該可動接点の回動中心と同心円状に離間配置され、該可動接点の回動位置に応じて該可動接点に接触する第１乃至第３の固定接点とを有し、
施錠状態では、前記可動接点の一端側が前記第１の固定接点に接触し、前記可動接点の他端が前記第３の固定接点に接触し、
前記第１の回動範囲は、前記可動接点の一端側が前記第１の固定接点上を摺動している状態を示し、
前記第２の回動範囲は、前記可動接点の一端側が前記第１の固定接点と前記第２の固定接点との間の前記絶縁部上を摺動している状態を示し、
前記第３の回動範囲は、前記可動接点の一端側が前記第２の固定接点上を摺動している状態を示している
ことを特徴とする遊技機。
【請求項３】
前記時間判別手段は、前記設定キー嵌合検出手段が前記設定キーの嵌合を検出してから前記第１の回動範囲にある時間を検出するとともに、前記設定用シリンダ錠ロータ回動角検出手段の検出結果が前記第２の回動範囲にある時間を検出し、これら検出時間が所定の時間内にあるか否かを判別することを特徴とする請求項２に記載の遊技機。
【請求項４】
前記前扉に設けられ、筒状に形成された前扉用シリンダ錠本体と、
前扉キーと嵌合する前扉キー嵌合部を有し、前記前扉用シリンダ錠本体の筒内に挿入され、当該筒内で係止固定状態及び回転可能な状態の何れか一方の状態にあり、前記前扉キー嵌合部が前記前扉キーと嵌合することで前記筒内での係止固定状態を解除する前扉用シリンダ錠ロータと、
前記前扉用シリンダ錠本体から前記前扉の内側に突出した前記前扉用シリンダ錠ロータに固定して取り付けられたカム板と、
前記前扉を前記筐体に固定するとともに前記カム板の回動に連動して当該固定の解除を行う前扉ロック機構部と、
前記カム板の回動位置が前記前扉の固定の解除を行う位置にあるかを検出するカム板回動位置検出手段と、
前記前扉または前記筐体の内側に設けられ、前記前扉の開放を検出する前扉開放検出スイッチと、
を更に備え、
前記異常判別手段は、前記時間判別手段の判別結果が所定の時間を超えたことを示した場合に、異常が発生したと見なすとともに、前記カム板回動位置検出手段の検出結果が前記筐体に対する前記前扉の固定の解除を示さずに、前記前扉開放検出スイッチの検出結果が前記前扉の開放を示した場合に、異常が発生したと見なし、さらに前記前扉開放検出スイッチの検出結果が前扉の閉塞を示した状態で前記設定用シリンダ錠ロータ回動角検出手段の検出結果に変化が生じた場合、異常が発生したと見なすことを特徴とする請求項１乃至３の何れか一つに記載の遊技機。
【発明の詳細な説明】
【技術分野】
【０００１】
本発明は、設定変更手段により入賞役の抽選確率の設定変更を行うことが可能な遊技機に関する。
【背景技術】
【０００２】
従来、スロットマシンやパチンコ機等の遊技機には、本体枠（筐体）の前面にヒンジを介して開閉可能に取り付けられた開閉扉（前扉）が不正に開放されることを防止するために一般的に施錠装置が設けられている（例えば特許文献１参照）。この種の施錠装置としては、前扉に取り付けられたシリンダ錠と、コイルバネにより付勢されたフックと、シリンダ錠及びフックを機械的に連動させる連動機構を有しており、筐体に設けられた受け金具にコイルバネにより付勢されたフックを係止させて扉を閉じた状態で施錠するようになっている。このような施錠装置の施錠を解除する場合には、シリンダ錠に対してキーによる解錠操作を行うことで、連動機構を介してフックを移動させ、フックによる前記受け金具の係止を解除して、前扉を開閉可能な状態にしている。
【０００３】
一方、スロットマシンは、遊技の際に払い出される遊技媒体の払い出し確率（ペイアウト率）、言い換えれば入賞役の当選確率の設定変更は、電源装置等に組み込まれる設定変更入力部で行われている。この設定変更入力部は、例えば６段階の入賞役の当選確率から１つを選択するための設定変更ボタンや現在の設定を確認する表示部、設定値を変更し確定する際に操作される確定スイッチ等から構成される。入賞役の当選確率の設定変更を変更する場合には、電源装置等に設けられた鍵穴に専用の鍵となる設定キーを挿入し、設定変更を有効とする位置まで設定キーを所定方向に回転させる。そして、スロットマシンの電源をオンにし、設定変更ボタンを操作選択した後に所定のスイッチ操作を行うことで入賞役の当選確率の設定変更を確定し実行することができる。なお、設定キーは遊技場の特定の店員又は経営者もしくは責任者しか保持所有していないので、遊技者等が設定変更を行うことができないようになっている（例えば特許文献２参照）。
【０００４】
【特許文献１】特開２００５−１２４８４９号公報
【特許文献２】特開２００６−５５５９６号公報
【発明の開示】
【発明が解決しようとする課題】
【０００５】
しかしながら従来の遊技機では、前扉と筐体の間の隙間から不正器具が挿入されフックによる受け金具の係止が強制的に解除され、前扉が不正に開かれ、設定変更入力部に不正器具を挿入して内部の回路をショートさせることで入賞役の当選確率の設定表示や設定変更が不正に行われたりすることがあった。
【０００６】
本発明は、こうした従来の問題に鑑みてなされたものであり、入賞役の当選確率の設定表示や設定変更が不正に行われることを防止できる遊技機を提供することを目的としている。
【課題を解決するための手段】
【０００７】
上述した課題を解決するため、請求項１に記載の発明は、前方に開口を有する筐体と、前記筐体に対して回動可能に取り付けられることで前記開口を開閉可能な状態で閉塞させる前扉と、所定の遊技操作を契機に入賞役を抽選する抽選手段と、前記筐体の壁面に形成された貫通孔を介しての筐体の外部から電力が供給され、供給された電力から所定の電圧値の電力を生成して前記抽選手段に供給する電源ユニットとを備えた遊技機であって、前記筐体と前記前扉によって閉塞される空間の内部に設けられ、筒状に形成された設定用シリンダ錠本体と、設定キーと嵌合する設定キー嵌合部を有し、前記設定用シリンダ錠本体の筒内に挿入され、当該筒内で係止固定状態及び回転可能な状態の何れか一方の状態にあり、前記設定キー嵌合部が前記設定キーと嵌合することで前記筒内での係止固定状態を解除する設定用シリンダ錠ロータと、前記設定用シリンダ錠ロータの回動角が前記係止固定状態から順次並ぶ第１乃至第３の回動範囲の何れにあるかを検出する設定用シリンダ錠ロータ回動角検出手段と、前記設定用シリンダ錠ロータ回動角検出手段の検出結果が第２の回動範囲にある時間を検出し、この検出時間が所定の時間内にあるか否かを判別する時間判別手段と、前記設定用シリンダ錠ロータ回動角検出手段の検出結果が第１乃至第３の回動範囲を順番に連続して示した場合に、前記設定キーに対して設定変更許可操作が行われたと判別する設定変更許可操作判別手段と、前記設定変更許可操作判別手段の判別結果に基づいて前記入賞役の抽選確率の設定を表示する設定表示手段と、操作入力が可能な設定変更用操作入力手段と、前記設定変更許可操作判別手段によって前記設定変更許可操作が行われたと判別された場合に限り、前記設定変更用操作入力手段からの操作入力に基づいて前記抽選手段における前記入賞役の抽選確率の設定変更を行う設定変更手段と、前記時間判別手段の判別結果が所定の時間を超えたことを示した場合に、異常が発生したと見なす異常判別手段と、前記異常判別手段が異常の発生を示した場合に、前記設定変更許可操作判別手段による設定変更許可操作の判別を無効とする制御手段と、前記異常判別手段が異常の発生を示した場合に、異常を報知する異常報知手段とを備え、前記設定用シリンダ錠ロータ回動角検出手段は、前記設定用シリンダ錠ロータに連接された棒状の可動接点と、絶縁部上に、該可動接点の回動中心と同心円状に離間配置され、該可動接点の回動位置に応じて該可動接点に接触する第１乃至第３の固定接点とを有し、施錠状態では、前記可動接点の一端側が前記第１の固定接点に接触し、前記可動接点の他端が前記第３の固定接点に接触し、前記第１の回動範囲は、前記可動接点の一端側が前記第１の固定接点上を摺動している状態を示し、前記第２の回動範囲は、前記可動接点の一端側が前記第１の固定接点と前記第２の固定接点との間の前記絶縁部上を摺動している状態を示し、前記第３の回動範囲は、前記可動接点の一端側が前記第２の固定接点上を摺動している状態を示していることを特徴とする。
【０００８】
請求項２に記載の発明は、前方に開口を有する筐体と、前記筐体に対して回動可能に取り付けられることで前記開口を開閉可能な状態で閉塞させる前扉と、所定の遊技操作を契機に入賞役を抽選する抽選手段と、前記筐体の壁面に形成された貫通孔を介しての筐体の外部から電力が供給され、供給された電力から所定の電圧値の電力を生成して前記抽選手段に供給する電源ユニットとを備えた遊技機であって、前記筐体と前記前扉によって閉塞される空間の内部に設けられ、筒状に形成された設定用シリンダ錠本体と、設定キーと嵌合する設定キー嵌合部を有し、前記設定用シリンダ錠本体の筒内に挿入され、当該筒内で係止固定状態及び回転可能な状態の何れか一方の状態にあり、前記設定キー嵌合部が前記設定キーと嵌合することで前記筒内での係止固定状態を解除する設定用シリンダ錠ロータと、前記設定キー嵌合部に対する前記設定キーの嵌合を検出する設定キー嵌合検出手段と、前記設定用シリンダ錠ロータの回動角が前記係止固定状態から順次並ぶ第１乃至第３の回動範囲の何れにあるかを検出する設定用シリンダ錠ロータ回動角検出手段と、前記設定キー嵌合検出手段が前記設定キーの嵌合を検出してから前記設定用シリンダ錠ロータ回動角検出手段の検出結果が第１の回動範囲にある時間を検出し、この検出時間が所定の時間内にあるか否かを判別する時間判別手段と、前記設定用シリンダ錠ロータ回動角検出手段の検出結果が第１乃至第３の回動範囲を順番に連続して示した場合に、前記設定キーに対して設定変更許可操作が行われたと判別する設定変更許可操作判別手段と、前記設定変更許可操作判別手段の判別結果に基づいて前記入賞役の抽選確率の設定を表示する設定表示手段と、操作入力が可能な設定変更用操作入力手段と、前記設定変更許可操作判別手段によって前記設定変更許可操作が行われたと判別された場合に限り、前記設定変更用操作入力手段からの操作入力に基づいて前記抽選手段における前記入賞役の抽選確率の設定変更を行う設定変更手段と、前記時間判別手段の判別結果が所定の時間を超えたことを示した場合に、異常が発生したと見なす異常判別手段と、前記異常判別手段が異常の発生を示した場合に、前記設定変更許可操作判別手段による設定変更許可操作の判別を無効とする制御手段と、前記異常判別手段が異常の発生を示した場合に、異常を報知する異常報知手段とを備え、前記設定用シリンダ錠ロータ回動角検出手段は、前記設定用シリンダ錠ロータに連接された棒状の可動接点と、絶縁部上に、該可動接点の回動中心と同心円状に離間配置され、該可動接点の回動位置に応じて該可動接点に接触する第１乃至第３の固定接点とを有し、施錠状態では、前記可動接点の一端側が前記第１の固定接点に接触し、前記可動接点の他端が前記第３の固定接点に接触し、前記第１の回動範囲は、前記可動接点の一端側が前記第１の固定接点上を摺動している状態を示し、前記第２の回動範囲は、前記可動接点の一端側が前記第１の固定接点と前記第２の固定接点との間の前記絶縁部上を摺動している状態を示し、前記第３の回動範囲は、前記可動接点の一端側が前記第２の固定接点上を摺動している状態を示していることを特徴とする。
【０００９】
請求項３に記載の発明は、請求項２に記載の遊技機であって、前記時間判別手段は、前記設定キー嵌合検出手段が前記設定キーの嵌合を検出してから前記第１の回動範囲にある時間を検出するとともに、前記設定用シリンダ錠ロータ回動角検出手段の検出結果が前記第２の回動範囲にある時間を検出し、これら検出時間が所定の時間内にあるか否かを判別することを特徴とする。
【００１０】
請求項４に記載の発明は、請求項１乃至３の何れか一つに記載の遊技機であって、前記前扉に設けられ、筒状に形成された前扉用シリンダ錠本体と、前扉キーと嵌合する前扉キー嵌合部を有し、前記前扉用シリンダ錠本体の筒内に挿入され、当該筒内で係止固定状態及び回転可能な状態の何れか一方の状態にあり、前記前扉キー嵌合部が前記前扉キーと嵌合することで前記筒内での係止固定状態を解除する前扉用シリンダ錠ロータと、前記前扉用シリンダ錠本体から前記前扉の内側に突出した前記前扉用シリンダ錠ロータに固定して取り付けられたカム板と、前記前扉を前記筐体に固定するとともに前記カム板の回動に連動して当該固定の解除を行う前扉ロック機構部と、前記カム板の回動位置が前記前扉の固定の解除を行う位置にあるかを検出するカム板回動位置検出手段と、前記前扉または前記筐体の内側に設けられ、前記前扉の開放を検出する前扉開放検出スイッチと、を更に備え、前記異常判別手段は、前記時間判別手段の判別結果が所定の時間を超えたことを示した場合に、異常が発生したと見なすとともに、前記カム板回動位置検出手段の検出結果が前記筐体に対する前記前扉の固定の解除を示さずに、前記前扉開放検出スイッチの検出結果が前記前扉の開放を示した場合に、異常が発生したと見なし、さらに前記前扉開放検出スイッチの検出結果が前扉の閉塞を示した状態で前記設定用シリンダ錠ロータ回動角検出手段の検出結果に変化が生じた場合に、異常が発生したと見なすことを特徴とする。
【００１１】
請求項１に記載の遊技機によれば、設定変更許可操作判別手段は、前記設定用シリンダ錠ロータ回動角検出手段の検出結果が第１乃至第３の回動範囲を順番に連続して示した場合にのみ、設定キーに対して設定変更許可操作が行われたと判別し、時間判別手段は、前記設定用シリンダ錠ロータ回動角検出手段の検出結果が第２の回動範囲にある時間を検出し、この検出時間が所定の時間内にあるか否かを判別し、設定変更手段は、前記設定変更許可操作判別手段によって前記設定変更許可操作が行われたと判別された場合に限り、前記設定変更用操作入力手段からの操作入力に基づいて前記抽選手段における前記入賞役の抽選確率の設定変更を行い、異常判別手段は、前記時間判別手段の判別結果が所定の時間を超えたことを示した場合に、異常が発生したと見なし、この場合に、制御手段は、前記設定変更許可操作判別手段による設定変更許可操作の判別を無効とし、警報発報手段は、警報を発報するので、入賞役の当選確率の設定表示や設定変更が不正に行われることを防止できる。
【００１２】
請求項２に記載の遊技機によれば、設定変更許可操作判別手段は、前記設定用シリンダ錠ロータ回動角検出手段の検出結果が第１乃至第３の回動範囲を順番に連続して示した場合にのみ、設定キーに対して設定変更許可操作が行われたと判別し、時間判別手段は、前記設定キー嵌合検出手段が前記設定キーの嵌合を検出してから前記設定用シリンダ錠ロータ回動角検出手段の検出結果が第１の回動範囲にある時間を検出し、この検出時間が所定の時間内にあるか否かを判別し、設定変更手段は、前記設定変更許可操作判別手段によって前記設定変更許可操作が行われたと判別された場合に限り、前記設定変更用操作入力手段からの操作入力に基づいて前記抽選手段における前記入賞役の抽選確率の設定変更を行い、異常判別手段は、前記時間判別手段の判別結果が所定の時間を超えたことを示した場合に、異常が発生したと見なし、この場合に、制御手段は、前記設定変更許可操作判別手段による設定変更許可操作の判別を無効とし、警報発報手段は、警報を発報するので、入賞役の当選確率の設定表示や設定変更が不正に行われることを防止できる。
【００１３】
請求項３に記載の遊技機によれば、前記時間判別手段は、前記設定キー嵌合検出手段が前記設定キーの嵌合を検出してから第１の回動範囲にある時間を検出するとともに、前記設定用シリンダ錠ロータ回動角検出手段の検出結果が第２の回動範囲にある時間を検出し、これら検出時間が所定の時間内にあるか否かを判別し、異常判別手段は、前記時間判別手段の判別結果が所定の時間を超えたことを示した場合に、異常が発生したと見なすので、入賞役の当選確率の設定表示や設定変更が不正に行われることをより確実に防止できる。
【００１４】
請求項４に記載の遊技機によれば、異常判別手段は、前記時間判別手段の判別結果が所定の時間を超えたことを示した場合に、異常が発生したと見なすとともに、前記カム板回動位置検出手段の検出結果が前記筐体に対する前記前扉の固定の解除を示さずに、前記前扉開放検出スイッチの検出結果が前記前扉の開放を示した場合に、異常が発生したと見なし、さらに前記前扉開放検出スイッチの検出結果が前扉の閉塞を示した状態で前記設定用シリンダ錠ロータ回動角検出手段の検出結果に変化が生じた場合に、異常が発生したと見なすので、前扉が不正に開放されるのを防止できるとともに、入賞役の当選確率の設定表示や設定変更が不正に行われることを防止できる。
【発明の効果】
【００１５】
本発明の遊技機によれば、入賞役の当選確率の設定表示や設定変更が不正に行われることを防止できるので、不正な遊技行為を防止できるとともに、前扉が不正に開放されるのを防止できるので、遊技媒体の盗難を防止できる。
【発明を実施するための最良の形態】
【００１６】
以下、本発明に係る遊技機の好適な一実施形態をスロットマシンを例に図面を参照して説明する。なお、図１はスロットマシン１の外観構造を表した斜視図である。図２は前扉３を開放した状態におけるスロットマシン１の内部構造を表した図である。図３はスロットマシン１の制御システムを表したブロック図である。
【００１７】
図１において、スロットマシン１は、前方に開口を有する略矩形状の箱体である筐体２と、当該筐体２に対して蝶番機構により回動可能に取り付けられることで前記開口を開閉可能な状態で閉塞させる前扉３とを備えている。
【００１８】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６ａが一体的に形成されたメダル受皿部６が設けられている。
【００１９】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受皿部６は、遊技者側に面し、これらによって「前面パネル部」が構成される。
【００２０】
上部パネル部４の中央には、硬質プラスチック板等で形成されたパネル面４１が設けられている。パネル面４１のほぼ中央には略長方形の透明な表示窓４２が形成され、表示窓４２を通して筐体２内に設けられているリールユニット１００の３個のリール１０１ａ、１０１ｂ、１０１ｃが目視される。
【００２１】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できるようになっている。
【００２２】
また、パネル面４１には、裏面側に設けられている図示しないランプを点灯させることで例えば入賞役への内部当選など遊技状態に関する情報を演出表示する遊技状態表示部４３と、これと同様にランプを点灯させることで遊技操作のアシストに関する情報を表示する操作アシスト表示部４４と、スロットマシン１にクレジット（貯留）されているメダル数を表示する数値情報表示部４５と、入賞によって獲得したメダル数及び入賞役の抽選確率の設定を数値表示する数値情報表示部４００とが、それぞれ表示窓４２の周辺に設けられている。
【００２３】
上部パネル部４の上部には、高輝度発光ダイオード等のランプ類を内蔵する中央及び左右の演出用照明部４６、４７ａ、４７ｂと、ゲームに係る効果音を発生させるスピーカを内蔵する演出用放音部４８ａ、４８ｂが配置されている。
【００２４】
スロットマシン１は、ゲームの進行に応じて上述した複数の演出用照明部４６、４７ａ、４７ｂ等が点灯又は点滅することで、ゲームにおける視覚的な演出効果を高めるように形成されている。
【００２５】
また、演出用放音部４８ａ、４８ｂの間には、透明な硬質プラスチック板等が嵌め込まれて形成された表示窓４９ａに面して遊技機の演出装置として液晶表示装置４９が配置されている。なお、液晶表示装置４９は、ゲームの演出に係る映像やゲーム（遊技）に関する情報を主に表示する。
【００２６】
操作卓７の上面右側にはメダル投入部７１が設けられている。メダル投入部７１はメダルを投入するためのメダル投入口７２を有する。また、当該上面の左側には、押しボタンスイッチである２個のベットボタン７３、７４が設けられている。
【００２７】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２８】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００２９】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００３０】
さらに、操作卓７の前面の左隅には、ゲームに賭けられたメダルをキャンセルして払い出させることを指示するとともに、後述するメダルクレジット手段２０３（図３参照）が内部貯留したメダルを精算して払い出させることを指示するための精算ボタン７７が設けられている。
【００３１】
操作卓７の前面右側には、前扉用シリンダ錠７８が埋設されている。前扉用シリンダ錠７８には、前扉３を解錠するための前扉キーが挿入される鍵穴７９が設けられている。スロットマシン１の管理者等が鍵穴７９に所定の鍵を挿入して解錠操作すると、蝶番機構によって筐体２に取り付けられている前扉３を前方へ開くことができ、また前扉３を筐体２側に閉じると、自動的にこれらを施錠するようになっている。
【００３２】
下部パネル部５には、スロットマシン１のモデルタイプを遊技者へ認識させる等のため、登場キャラクターの絵などを表示する表示パネル５１が設けられている。表示パネル５１の左右両脇には、左右の演出用照明部５２ａ、５２ｂが設けられている。
【００３３】
下部パネル部５の下側に配置されたメダル受皿部６には、入賞時にメダルを排出するメダル払出口６１と、払い出されたメダルを貯留するメダル受皿６ａと、演出効果音を発生させるスピーカを内蔵する左右の演出用放音部６２ａ、６２ｂとが配置されている。
【００３４】
次に、図２を参照して、筐体２の内部構造と前扉３の裏面構造とを説明する。
図２において、筐体２の前方には開口８を有している。この開口８内の上部には、硬質プラスチックの基板ケース２１０に収納された主制御基板２０が取り付けられている。主制御基板２０は、スロットマシン１の全体動作を集中制御するＣＰＵ（マイコン）を備えている。
【００３５】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３６】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００３７】
リールユニット１００の下方には、ホッパ装置２１と、ホッパ装置２１から溢れたメダルを収容するための補助貯留部２２と、主電源装置２３が設けられている。主電源装置２３の内部の右側には、いわゆる配電盤に相当する電源装置基板２４が設けられている。主電源装置２３の前面には電源スイッチ８１、リセット釦８２、設定錠８３等が設けられている。主電源装置２３の前面は、通常時、透明な扉８４により覆われている。
【００３８】
主電源装置２３は、前記筐体２の裏側の壁面９に形成された貫通孔１０を介しての筐体２の外部から電力が供給され、供給された電力から所定の電圧値の電力を生成して主制御基板２０、ホッパ装置２１等のスロットマシン１の構成要素に供給する。
【００３９】
更に、筐体２の上部右側の内壁に、遊技場に設置されている「ホールコンピュータ」と呼ばれる管理用コンピュータと接続可能な外部集中端子基板２５が取り付けられている。筐体２の内壁の外部集中端子基板２５より下側の位置には、前記前扉３の開放を検出する前扉開放検出スイッチ８５が設けられている。
【００４０】
筐体２の右側内壁の前端近傍には、後述の施錠装置ユニット３００の可動フック３０３、３０４（図４参照）が係止する板状の固定板２６、２７と施錠装置ユニット３００のローラ３１３（図４参照）が移動する水平面部２８が設けられている。
【００４１】
次に、前扉３の裏面側上部には、発光駆動部３０、３１ａ、３１ｂが配置されている。発光駆動部３０、３１ａ、３１ｂは、それぞれ演出用照明部４６、４７ａ、４７ｂの光源である高輝度の発光ダイオードが複数配列され、この発光ダイオードを発光駆動する駆動回路が実装されている。
【００４２】
また、前扉３の裏面側上部には、上述の演出用放音部４８ａ、４８ｂに対向してスピーカ３２ａ、３２ｂが取り付けられている。また、スピーカ３２ａ、３２ｂの間には、液晶表示装置４９が取り付けられている。更に、液晶表示装置４９の裏面側には、電気回路基板で形成され硬質プラスチックの基板ケース２２０に収納されたサブ制御基板４０が取り付けられている。
主制御基板２０及びサブ制御基板４０は、スロットマシン１の作動を制御する制御基板である。
【００４３】
サブ制御基板４０の下方には、リール１０１ａ、１０１ｂ、１０１ｃを目視させるための透明な表示窓４２が形成されたパネル板５０が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。中央表示基板３３の後側板面の右側（この場合の右側は、前扉３の前方から見た場合の右側を示している。）には、設定変更釦８６が設けられている。設定変更釦８６は、ヒンジ機構により開閉可能な透明カバー８７により覆われている。
【００４４】
中央表示基板３３の右斜め下方には、前扉用シリンダ錠７８が設けられている。前扉用シリンダ錠７８の後端には、後述のカム板３０９が設けられている。前扉３の裏面の前扉用シリンダ錠７８の近傍には、前記カム板３０９の回動角を検出するカム板回動位置検出手段としてフォトセンサ３１１が設けられている。
【００４５】
前扉３の裏面の右側には、前記カム板３０９の回動に連動して前記前扉３を前記筐体２に固定するとともに当該固定の解除を行う前扉ロック機構部９０が設けられている。前扉ロック機構部９０は、後述の施錠装置ユニット３００の構成要素となっており、前扉用シリンダ錠７８のリセット操作に連動するようになっている。前扉ロック機構部９０には、前扉用シリンダ錠７８のリセット操作に連動する動作を検出するフォトセンサ３１２が取り付けられている。
【００４６】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４７】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル払出口６１へ案内するガイド部材３６が設けられている。また、前扉３の裏面側下部には、ホッパ装置２１から排出されたメダルをメダル払出口６１へ案内するガイド部材３７が設けられている。更に、メダル払出口６１に隣接して、上述した演出用放音部６２ａ、６２ｂに対向するスピーカ３８ａ、３８ｂが取り付けられている。
【００４８】
なお、スロットマシン１全体の動作は、筐体２側に設けられている主制御基板２０によって統括制御されており、サブ制御基板４０は、液晶表示装置４９、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００４９】
次に、図３のブロック図を参照して、スロットマシン１に設けられている制御システムについて説明する。
図３において、主制御基板２０は、ＣＰＵ２００と、記憶部２０１とを備えている。
【００５０】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。
【００５１】
また、記憶部２０１にはメダルクレジット手段２０３が設けられている。メダルクレジット手段２０３はスロットマシン１が内部貯留するメダルの数であるクレジットをメモリに記憶する。
【００５２】
主制御基板２０には、ベットボタン７３、７４、スタートレバー７５、ストップボタン７６ａ、７６ｂ、７６ｃ、精算ボタン７７、電源スイッチ８１、リセット釦８２、設定変更釦８６等の操作スイッチ類、前扉開放検出スイッチ８５、フォトセンサ３１１、３１２、設定キー動作検出スイッチ９２等の検出スイッチ類、メダル選別装置３４のメダルセンサ３４ａ、ホッパ装置２１等のメダル払出装置、及びサブ制御基板４０等がハーネスを介して接続されている。尚、設定キー動作検出スイッチ９２（図１２参照）は、主電源装置２３内に設けられ、設定錠８３と連動するようになっている。また、設定錠８３及び設定キー動作検出スイッチ９２（図１２参照）は、前記筐体２と前記前扉３によって閉塞される空間の内部であれば、主電源装置２３に限らず例えば主制御基板２０に設けることも可能である。
【００５３】
主制御基板２０は、前記操作スイッチ類やメダル選別装置３４のメダルセンサ３４ａからの出力信号によりゲームに係る操作を検出する。
主制御基板２０は、動作モードがメダルベット待機状態となっている場合において、メダルセンサ３４ａがメダルを検出した場合、検出したメダルをゲームの賭数に加算する。
【００５４】
また、主制御基板２０は、動作モードがメダルクレジット入力待機状態となっている場合において、メダルセンサ３４ａがメダルを検出した場合、検出したメダルをメダルクレジット手段２０３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２０３の前記クレジット数が最大値（５０）になるまでの状態のことを示している。
【００５５】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
主制御基板２０は、入賞が確定した場合等において、ホッパ装置２１を制御することで、所定数のメダルをメダル受皿６ａに払い出す。
【００５６】
また、主制御基板２０は、精算ボタン７７が操作された場合、ゲームに賭けられたメダルをキャンセルしてホッパ装置２１に払い出させるとともに、メダルクレジット手段２０３（図３参照）が内部貯留したメダルを精算してホッパ装置２１に精算前のクレジット数のメダルを払い出させる。
【００５７】
サブ制御基板４０は、主制御基板２０からの制御信号に基づいて液晶表示装置４９（図１参照）、演出用照明部４６、４７ａ、４７ｂ、５２ａ、５２ｂ（図１参照）、演出用放音部４８ａ、４８ｂ、６２ａ、６２ｂ（図１参照）のスピーカ３２ａ、３２ｂ、３８ａ、３８ｂ等の演出装置２３０を制御駆動することで、ゲームの進行に応じた遊技者の視覚や聴覚に訴える演出及び異常時の異常報知を、液晶表示装置４９、演出用照明部４６、４７ａ、４７ｂ、５２ａ、５２ｂ、演出用放音部４８ａ、４８ｂ、６２ａ、６２ｂのスピーカ３２ａ、３２ｂ、３８ａ、３８ｂ等の演出装置２３０を使用して行っている。
【００５８】
一方、主制御基板２０の記憶部２０１には、入賞抽選テーブル２０４及び内部抽選フラグ２０５が記憶されている。主制御基板２０には、乱数値のデータを発生する乱数発生装置２０６がＣＰＵ２００に接続した状態で設けられている。さらに、主制御基板２０には、ＣＰＵ２００及び乱数発生装置２０６の動作の基準となるクロック信号を発生するクロック信号発生器２０７がＣＰＵ２００に接続した状態で設けられている。例えばＣＰＵ２００は、スタートレバー７５の操作を検出した時点で乱数発生装置２０６から乱数値を取得し、入賞抽選テーブル２０４を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０５に記憶する。ここでは、かかる入賞役の抽選方法を「内部抽選」と呼んでいる。
【００５９】
入賞抽選テーブル２０４は、乱数値と対応する入賞役の組み合わせを１から６までの設定に応じて複数種有しており、後述の入賞役の抽選確率の変更を行う設定変更手段に操作に応じて乱数値に対応する入賞役を変更できるようになっている。
【００６０】
次に、スロットマシン１におけるゲーム動作の概要を説明する。
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４９等によって行われる。次に、遊技者がメダル投入部７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００６１】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０５に記憶される。
【００６２】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０５に対応する入賞役に係る図柄の組合せとが一致しているかどうか判定する。
【００６３】
これら図柄の組合せが一致し役への入賞が確定すると、スロットマシン１は、主制御基板２０によりメダルクレジット手段２０３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６ａへ払い出す。
【００６４】
次に、図４乃至図９を参照して本実施形態の要部となる前扉ロック機構部９０を用いた施錠装置ユニット３００について説明する。
図４は施錠装置ユニット３００の分解斜視図である。図５は施錠装置ユニット３００の組み立てた状態の背面側から見た斜視図である。図６は施錠装置ユニット３００の組み立てた状態の正面側から見た斜視図である。図７は施錠装置ユニット３００の前扉用シリンダ錠７８及びその周辺部の組み立てた状態の左側から見た側面図である。図８は前扉用シリンダ錠７８の断面図である。図９は施錠装置ユニット３００の前扉用シリンダ錠７８、可動フック３０３及びその周辺部の施錠を解除する操作が行われた状態の斜視図である。
【００６５】
図４において、施錠装置ユニット３００は、本体フレーム３０１と、連結杆３０２と、上下の可動フック３０３、３０４と、作動杆３０５と、ダンパー板３０６と、コイルバネ３０７、３０８と、カム板３０９と、前扉用シリンダ錠７８と、フォトセンサ３１１、３１２と、ローラ３１３とを備え、これらの部材をネジ３１４、３１５及びリベット５０１、５０２…５０７で組み立てたものである。
【００６６】
また、本体フレーム３０１と、連結杆３０２と、上下の可動フック３０３、３０４と、作動杆３０５と、ダンパー板３０６と、コイルバネ３０７、３０８と、カム板３０９と、リベット５０１、５０２…５０６は、上述した前扉ロック機構部９０を構成している。
【００６７】
本体フレーム３０１は、所定形状の金属製の板材を折り曲げて形成したものであって、縦長の取付板部３２１の長手方向の一側縁に支持板部３３０が当該取付板部３２１に対し垂直に起立して形成されている。本体フレーム３０１の内側には、連結杆３０２が支持板部３３０に沿って施錠位置と解錠位置との間で移動可能に配設されている。支持板部３３０は、上方の支持板部３３１、中間の支持板部３４１、下方の支持板部３５１に分割されている。
【００６８】
また、本体フレーム３０１は、取付板部３２１の長手方向の他側縁から、上端から下端にわたり直線状で細幅の補強片３６１（図５及び図６参照）が取付板部３２１に対し支持板部３３０と同一側に垂直に起立して形成されている。
【００６９】
取付板部３２１は、上方部と下方部が同一幅で、中間の支持板部３４１と連設する中間部が幅方向に拡張された幅広部３２２となっている。従って、上方の支持板部３３１、中間の支持板部３４１、下方の支持板部３５１は互いに平行であり、また、これら支持板部３３１、３４１、３５１と、補強片３６１とは平行となっている。一方されている。
【００７０】
本体フレーム３０１の上方の支持板部３３１の上部には、板面を貫通してリベット孔３３２及び逃がし孔３３３が形成されている。一方、可動フック３０３の基端部３８１には、板面を貫通してリベット挿通孔３８２及びリベット孔３８３が形成されている。連結杆３０２の上端近傍には、板面を貫通してリベット挿通孔３９１が形成されている。可動フック３０３の上辺には、固定板２６（図２参照）に係止するための係止爪３８４が形成されている。
【００７１】
リベット５０１は、その胴が可動フック３０３のリベット挿通孔３８２に挿入し、支持板部３３１のリベット孔３３２に挿入し、リベット孔３３２から突出した胴の先端がかしめられることで、図５に示すように、可動フック３０３を支持板部３３１の上部に回動可能な状態で軸支するようになっている。
【００７２】
図４において、リベット５０２は、その胴が連結杆３０２のリベット挿通孔３９１に挿入し、可動フック３０３のリベット孔３８３に挿入し、リベット孔３８３から突出した胴の先端がかしめられることで、図５に示すように、連結杆３０２を可動フック３０３の基端部３８１に回動可能な状態で軸支するようになっている。
【００７３】
図４において、本体フレーム３０１の下方の支持板部３５１には、板面を貫通してリベット孔３５２、３５３及び逃がし孔３５４が形成されている。一方、可動フック３０４の基端部４１１には、板面を貫通してリベット挿通孔４１２及びリベット孔４１３が形成されている。連結杆３０２の下端近傍には、板面を貫通してリベット挿通孔３９２が形成されている。可動フック３０４の上辺には、固定板７６（図２参照）に係止するための係止爪４１４が形成されている。ローラ３１３は、回転中心にリベット挿通孔４２０が形成されている。
【００７４】
リベット５０３は、その胴が可動フック３０４のリベット挿通孔４１２に挿入し、支持板部３５１のリベット孔３５２に挿入し、リベット孔３５２から突出した胴の先端がかしめられることで、図５に示すように、可動フック３０４を支持板部３５１に回動可能な状態で軸支するようになっている。
【００７５】
図４において、リベット５０４は、その胴が連結杆３０２のリベット挿通孔３９２に挿入し、可動フック３０４のリベット孔４１３に挿入し、リベット孔４１３から突出した胴の先端がかしめられることで、図５に示すように、連結杆３０２の下端近傍を可動フック３０４の基端部４１１に回動可能な状態で軸支するようになっている。
【００７６】
図４において、リベット５０７は、ローラ３１３のリベット挿通孔４２０に挿入し、支持板部３５１のリベット孔３５３に挿入し、リベット孔３５３から突出した胴の先端がかしめられることで、図５に示すように、ローラ３１３を支持板部３５１に回動可能な状態で軸支するようになっている。
【００７７】
次に、取付板部３２１について詳細に説明する。
図４において、取付板部３２１には、施錠装置ユニット３００を前扉３（図２参照）の裏面右側部に取り付けることができるように複数の止めネジ挿通孔３２３が上下に並べて形成されている。
【００７８】
中間の支持板部３４１に対応する取付板部３２１の幅広部３２２には錠取付孔３２４が穿設されている。幅広部３２２の錠取付孔３２４より上側及び下側には、それぞれネジ孔３２５、３２６が形成されている。一方、前扉用シリンダ錠７８のフランジ部３７１には、ネジ挿通孔３７２、３７３が形成されている。
錠取付孔３２４には前扉用シリンダ錠７８が挿通される。
【００７９】
ネジ３１４、３１５は、フランジ部３７１のネジ挿通孔３７２、３７３と、幅広部３２２のネジ孔３２５、３２６との位置を合わせた状態において、そのネジ部がネジ挿通孔３７２、３７３に挿通し、ネジ孔３２５、３２６に螺入することで、図５に示すように、幅広部３２２にフランジ部３７１をネジ止め固定している。
【００８０】
図４において、前扉用シリンダ錠７８の錠軸となる細径部６４１（図８参照）には、カム板３０９がネジ３７５によるネジ止めで取り付けられている。カム板３０９は、径方向に延びる第１突部４３１及び第２突部４３２を有している。またカム板３０９は、連結杆３０２を施錠位置から解錠位置に移動させたり、作動杆３０５を非作動位置から作動位置に移動させたりする。一方、フランジ部３７１には、解錠位置にあるカム板３０９を検出することで、カム板３０９の回動角を検出するカム板回動位置検出手段としてのフォトセンサ３１１が取り付けられている。
【００８１】
フォトセンサ３１１は、透過式のフォトセンサであり、発光部と受光部を有するコ字状部により構成され、コ字状部の隙間にカム板３０９の第１突部４３１が挿入されることで発光部と受光部の間が遮断され、カム板３０９を検出したことを示す検出信号を出力する。
【００８２】
また、支持板部３４１の下辺には、取付板部３２１の幅方向（外側）に張り出された張り出し部３４２（図６及び図７参照）が形成されている。該張り出し部３４２にはスロットマシン１のリセットに使用される光電スイッチ等のフォトセンサ３１２がネジ止めされている。図７に示すように、フォトセンサ３１２は、発光部３４７と受光部３４８を有している。
【００８３】
図４において、連結杆３０２は、金属製の板材からなり、上方の支持板部３３１、中間の支持板部３４１及び下方の支持板部３５１に沿って移動ができるように中間部が支持板部３４１側に折り曲げられて所定長さの段部３９３が形成されている。即ち、連結杆３０２は、上から順に垂直板部３９４、傾斜板部３９５、垂直板部３９６、傾斜板部３９７、垂直板部３９８を有しており、傾斜板部３９５と、垂直板部３９６と、傾斜板部３９７とが段部３９３を構成している。
【００８４】
図４において、上側の垂直板部３９４の上部には、前述したリベット挿通孔３９１が当該垂直板部３９６の上端に近接して形成されている。
図４において、上側の垂直板部３９４の下部には、コイルバネ３０７の上端を掛けるフック４２１が段部３９３の形成方向と反対の方向に突出して形成されている。
【００８５】
また、連結杆３０２は、上側の垂直板部３９４のフック４２１より所定間隔を置いた下側から傾斜部３９５の上部に亘ってスリット４２２が形成され、傾斜部３９５の下端近傍から垂直板部３９６の上部に亘って逃がし孔４２３が形成されている。また、垂直板部３９６には、係合孔４２４、スリット４２５、リベット孔４２６、段部４２７が形成されている。段部４２７は、垂直板部３９６の支持板部３３０側に突出して形成され、後述のダンパー板３０６の切り欠き部４４５が係止するようになっている。垂直板部３９６の下部の前辺には、ダンパー板３０６のフック４４４を通すための切欠き４２８が形成されている。
【００８６】
傾斜板部３９７には、コイルバネ３０８の下端を掛けるフック４２９が形成されている。
一方、本体フレーム３０１の支持板部３４１と連結杆３０２の段部３９３との間には、支持板部３４１から順に作動杆３０５及びダンパー板３０６が介挿されるようになっている。
【００８７】
ダンパー板３０６は、連結杆３０２の垂直板部３９６の縦方向の長さとほぼ等しい長さの金属製の板材からなる。ダンパー板３０６の前辺には、カム板３０９の第１突部４３１が摺動するカム形状４４１が形成されている。ダンパー板３０６の上下の中間部には、リベット挿通孔４４２と貫通部４４３が板面を貫通して形成されている。ダンパー板３０６の下部の前辺には、フック４４４が連結杆３０２側に向けて突出して形成されている。ダンパー板３０６の下部の後辺には、切り欠き部４４５が形成されている。
【００８８】
リベット５０５は、その胴がダンパー板３０６のリベット挿通孔４４２に挿入し、連結杆３０２の垂直板部３９６のリベット孔４２６に挿入し、リベット孔４２６から突出した胴の先端がかしめられることで、ダンパー板３０６を連結杆３０２の垂直板部３９６に回動可能な状態で軸支するようになっている。
【００８９】
作動杆３０５は、金属製の板材からなり、上方の支持板部３３１及び中間の支持板部３４１に沿って移動ができるように折り曲げられている。即ち、作動杆３０５は、上から順に垂直板部４５１、傾斜板部４５２、垂直板部４５３を有しており、傾斜板部４５２は、垂直板部４５１の下端から中間の支持板部３４１に向けて傾斜している。
【００９０】
作動杆３０５の垂直板部４５１には、上下方向に延びるスリット４５４が形成されている。
傾斜板部４５２の上部には、コイルバネ３０７の下端を掛けるフック４５５が連結杆３０２側に突出して形成されている。
【００９１】
垂直板部４５３の上部には、係合孔４５６が形成されている。
垂直板部４５３の後辺の中間部の下寄りには、本体フレーム３０１に対する前後の位置決めを行うための摺動部４５７が形成されている。
垂直板部４５３の前辺の下部には、フォトセンサ３１２を作動させるための遮光片４５８が中間の支持板部３４１に向けて折り曲げ形成されている。
【００９２】
一方、本体フレーム３０１の上方の支持板部３３１の下部には、作動杆３０５の垂直板部４５１のスリット４５４に挿入する膨出部３３４が形成されている。膨出部３３４とスリット４５４は、本体フレーム３０１に対して支持板部３３１が上下方向にスライドする範囲を規制している。
【００９３】
本体フレーム３０１の中間の支持板部３４１の上部には、カム板３０９が回動する際、カム板３０９の第１突部４３１及び第２突起部４３２を逃がすための逃げ孔３４３が形成されている。
また、中間の支持板部３４１の中間部には、連結杆３０２側に向けて膨出する膨出部３４４が形成されている。
【００９４】
膨出部３４４は、作動杆３０５の摺動部４５７と摺動するようよになっており、取付板部３２１の幅広部３２２との間に作動杆３０５を挟むようになっている。膨出部３４４の中心にはリベット孔３４５が形成されている。
また、支持板部３４１の中間部には、作動杆３０５の遮光片４５８が挿入されるスリット３４６が形成されている。
【００９５】
リベット５０６は、その胴が連結杆３０２のスリット４２５に挿入し、ダンパー板３０６の貫通部４４３に挿入し、本体フレーム３０１のリベット孔３４５に挿入し、リベット孔３４５から突出した胴の先端がかしめられることで、連結杆３０２を上下方向にスライド可能な状態で本体フレーム３０１に取り付けるとともに、連結杆３０２に対するダンパー板３０６の回動角の範囲を規制している。
【００９６】
以下、施錠装置ユニット３００を組み立てた状態について説明する。
図５において、施錠装置ユニット３００を組み立てた状態では、上下の可動フック３０３、３０４は、それぞれ本体フレーム３０１の支持板部３３０の上部及び下部に、リベット５０１、５０３を中心にして回動可能の状態で取り付けられている。
【００９７】
上側の可動フック３０３は、連結杆３０２の上部とリベット５０３を介して回動可能の状態で連結している。下側の可動フック３０４は、連結杆３０２の下部とリベット５０４を介して回動可能の状態で連結している。連結杆３０２は、リベット５０６により上下方向にスライド可能な状態で本体フレーム３０１に取り付けられている。
【００９８】
本体フレーム３０１の支持板部３４１と連結杆３０２の段部３９３との間には、支持板部３４１から順に作動杆３０５及びダンパー板３０６が配置している。ダンパー板３０６は、リベット５０５を軸として連結杆３０２の段部３９３に回動可能な状態で取り付けられている。ダンパー板３０６は、連結杆３０２の段部４２７に切り欠き部４４５（図４参照）が係止することで、回動角が規制されている。
【００９９】
作動杆３０５は、本体フレーム３０１の膨出部３３４、３４４（図４参照）と連結杆３０２によって、所定の範囲で上下方向にスライド可能な状態で本体フレーム３０１に取り付けられている。
【０１００】
作動杆３０５のフック４５５は、連結杆３０２のスリット４２２を介して外側に突出している。連結杆３０２のフック４２１と作動杆３０５のフック４５５の間にはコイルバネ３０７が取り付けられている。
【０１０１】
コイルバネ３０７は、作動杆３０５に対して連結杆３０２を上側に付勢するとともに、連結杆３０２に対して作動杆３０５を下側に付勢している。
作動杆３０５のスリット４５４（図７参照）の下端が本体フレーム３０１の膨出部３３４（図７参照）に係止した状態では、コイルバネ３０７によって連結杆３０２が本体フレーム３０１に対して下側に付勢される。
【０１０２】
連結杆３０２のスリット４２５（図７参照）の上端が本体フレーム３０１に取り付けられたリベット５０６に係止した状態では、コイルバネ３０７によって作動杆３０５が本体フレーム３０１に対して上側に付勢される。
【０１０３】
ダンパー板３０６のフック４４４は、連結杆３０２の切欠き４２８を介して外側に突出している。連結杆３０２のフック４２９とダンパー板３０６のフック４４４の間にはコイルバネ３０８が取り付けられている。
コイルバネ３０８は、ダンパー板３０６のカム形状４４１がカム板３０９の第１突部４３１を押す方向にダンパー板３０６を付勢している。
【０１０４】
前扉用シリンダ錠７８が施錠された状態において、カム板３０９の第１突部４３１は逃がし孔４２３に挿入し、カム板３０９第２突部４３２は連結杆３０２の係合孔４２４に挿入している。逃がし孔４２３の奥方には、作動杆３０５の係合孔４５６が配置している。
【０１０５】
以下、前扉キー６００について詳細に説明する。
図６において、前扉キー６００は、金属製の軸部６０１の先端に前扉用シリンダ錠ロータ６１２（図８参照）と嵌合する嵌合部６０２を有し、軸部６０１の基端に摘み６０３を取り付けたものである。嵌合部６０２には後述の複数の前側タンブラーピンがそれぞれ係止する複数の溝部６０４、６０５…が形成されている。
【０１０６】
図８において、前扉用シリンダ錠７８は、フランジ部３７１と、前扉用シリンダ錠本体６１１と、前扉用シリンダ錠ロータ６１２とを備えている。
【０１０７】
フランジ部３７１は、本体フレーム３０１（図４参照）の幅広部３２２（図４参照）に取り付け固定される。
前扉用シリンダ錠本体６１１は、筒状に形成され、フランジ部３７１の前面に固定されている。
【０１０８】
前扉用シリンダ錠ロータ６１２は、前扉キー６００の嵌合部６０２と嵌合する前扉キー嵌合部６３０を有し、前記前扉用シリンダ錠本体６１１の筒内に挿入され、当該筒内で係止固定状態及び回転可能な状態の何れか一方の状態にあり、前記前扉キー嵌合部６３０が前記前扉キー６００の嵌合部６０２と嵌合することで前記筒内での係止固定状態を解除する。
【０１０９】
前扉用シリンダ錠本体６１１は、円筒部６３１と、固定部材６３２、ケース６３３とを備えている。
前扉用シリンダ錠ロータ６１２は、後側から順に細径部６４１、中径部６４２、大径部６４３、嵌合部６３０が形成されている。
【０１１０】
前扉用シリンダ錠本体６１１の円筒部６３１は、後方がフランジ部３７１の前面にかしめにより固定され、前方の開口６３４に固定部材６３２の後部が挿入されている。ケース６３３は、円筒部６３１から突出する固定部材６３２、前扉用シリンダ錠ロータ６１２の大径部６４３及び嵌合部６３０の外周を覆う。
【０１１１】
前扉用シリンダ錠ロータ６１２の中径部６４２は、固定部材６３２の中心の貫通孔６４４に挿入される。ケース６３３の内周には前扉用シリンダ錠ロータ６１２の大径部６４３を係止する段部６４５が形成されている。ケース６３３の前面６４６には鍵穴７９が形成されている。前扉用シリンダ錠ロータ６１２の大径部６４３は、ケース６３３の内面に形成された段部６４５と固定部材６３２との間に挟まれ、前後の位置が規定される。
【０１１２】
前扉用シリンダ錠ロータ６１２の細径部６４１の後方は、フランジ部３７１に形成された貫通孔３７４に挿入されフランジ部３７１の後方に突出し、細径部６４１の先端には、カム板３０９がネジ３７５によりネジ止め固定されている。
【０１１３】
以下、カム板３０９のネジ止め構造を詳細に説明する。
カム板３０９には、その板面を貫通する楕円形状の嵌合孔４３３が形成されている。細径部６４１の先端には、段部６４７を介して嵌合凸部６４８が形成されている。嵌合凸部６４８は、外周形状が嵌合孔４３３の楕円形状と一致するように成され、カム板３０９の嵌合孔４３３に挿入して嵌合する。細径部６４１は、嵌合凸部６４８の端面から細径部６４１の回転軸に沿ってネジ孔６４９が形成されている。ネジ孔６４９には、ネジ３７５のネジ部３７５ａが螺入する。ネジ３７５のネジ頭３７５ｂは、嵌合孔４３３よりも大径に形成されている。
【０１１４】
嵌合凸部６４８とカム板３０９の嵌合孔４３３を嵌合し、ネジ孔６４９にネジ３７５のネジ部３７５ａを螺入してネジ３７５を締め付けた状態では、カム板３０９が段部６４７とネジ頭３７５ｂに挟まれて細径部６４１に固定された状態となる。嵌合凸部６４８の外周形状と嵌合孔４３３の内周形状は楕円形状に形成されているので、カム板３０９が細径部６４１に対して回転することはない。
【０１１５】
また、前扉用シリンダ錠７８は、回動規制部材としての複数の前側タンブラーピン６５１、６５２…、複数の摺動部材６６１、６６２…、複数の後側タンブラーピン６７１、６７２…、複数のコイルバネ６８１、６８２…を有している。
【０１１６】
固定部材６３２は、後面から前方に向けて複数の回動規制部材挿入穴６９１、６９２…が形成されている。複数の回動規制部材挿入穴６９１、６９２…は、それぞれ複数のコイルバネ６８１、６８２…が奥方に挿入され、複数のコイルバネ６８１、６８２…の先にそれぞれ後側タンブラーピン６７１、６７２…が挿入されている。
【０１１７】
前扉用シリンダ錠ロータ６１２の大径部６４３は、後面から前方に向けて複数の回動規制部材挿通孔７０１、７０２…が形成されている。複数の回動規制部材挿通孔７０１、７０２…には、それぞれ後側タンブラーピン６５１、６５２…が挿入されている。
【０１１８】
複数の摺動部材６６１、６６２…は、球状に形成され、それぞれ複数の前側タンブラーピン６５１、６５２…と複数の後側タンブラーピン６７１、６７２…前側タンブラーピンとの間に介挿され、複数の回動規制部材挿入穴６９１、６９２…と複数の回動規制部材挿通孔７０１、７０２…との間を移動可能になっている。
【０１１９】
固定部材６３２の複数の回動規制部材挿入穴６９１、６９２…と前扉用シリンダ錠ロータ６１２の大径部６４３の複数の回動規制部材挿通孔７０１、７０２…の位置が重なった状態において、鍵穴７９に前扉キー６００が差し込まれていない状態または適合しない前扉キーが鍵穴７９に差し込まれた状態では、大径部６４３と固定部材６３２の当接面が前側タンブラーピン６５１、６５２…、複数の摺動部材６６１、６６２…、複数の後側タンブラーピン６７１、６７２…の当接面と合致せず、前扉用シリンダ錠ロータ６１２は前扉用シリンダ錠本体６１１の筒内での係止固定状態となる。
【０１２０】
鍵穴７９に正規の前扉キー６００が差し込まれ、前扉キー６００の嵌合部６０２に嵌合する前扉用シリンダ錠ロータ６１２の嵌合部６３０が嵌合した場合、複数の前側タンブラーピン６５１、６５２…はそれぞれ溝部６０４、６０５…に係止して後方に押し込まれ、大径部６４３と固定部材６３２の当接面が、前側タンブラーピン６５１、６５２…、複数の摺動部材６６１、６６２…、複数の後側タンブラーピン６７１、６７２…の当接面のいずれかと合致し、前扉用シリンダ錠ロータ６１２は、前扉用シリンダ錠本体６１１の筒内での係止固定状態を解除され、前扉キー６００とともに前記筒内で右回り及び左回りの両方向に回動可能となる。
【０１２１】
即ち、前扉用シリンダ錠７８は、鍵穴７９に正規の前扉キー６００が差し込まれ、回動操作されることで、前扉用シリンダ錠ロータ６１２及びカム板３０９が回動することになる。
【０１２２】
以下、前扉キー６００の回動操作による施錠装置ユニット３００の動作について説明する。
前扉用シリンダ錠７８が施錠状態にある場合には、図５及び図７に示すように、本体フレーム３０１に対して連結杆３０２はスライド可能な範囲において最も下側の位置にあり、連結杆３０２に対してダンパー板３０６の上側が最も前方となる位置にあり、本体フレーム３０１に対して作動杆３０５はスライド可能な範囲において最も上側の位置にあり、フォトセンサ３１１がカム板３０９の第１突部４３１を検出せず、フォトセンサ３１２の発光部３４７（図７参照）と受光部３４８（図７参照）の間から遮光片４５８が離れた状態にある。
【０１２３】
鍵穴７９に差し込こんだ前扉キー６００を右回りに回動させた場合には、図９に示すように、施錠装置ユニット３００の後ろ側において、カム板３０９の右回りに回動し、カム板３０９の第２突部４３２が連結杆３０２の係合孔４２４を押し上げ、本体フレーム３０１に対して連結杆３０２を上方にスライドさせ、係止爪３８４、４１４が下がる方向に可動フック３０３、３０４を回動させ、固定板２６、２７（図２参照）に対する可動フック３０３、３０４の係止を解除する。これにより、筐体２に対して前扉３を開くことが可能になる。この状態では、フォトセンサ３１１のコ字状部の隙間にカム板３０９の第１突部４３１が挿入され、フォトセンサ３１１がカム板３０９を検出したことを示す検出信号を出力する。
【０１２４】
前扉キー６００を右回りに回動させた後、前扉キー６００に力を加えるのをやめると、コイルバネ３０７の付勢力により、本体フレーム３０１に対して連結杆３０２が下方にスライドし、施錠装置ユニット３００は図５に示す施錠状態に戻る。
【０１２５】
鍵穴７９に差し込こんだ前扉キー６００を左回りに回動させた場合には、施錠装置ユニット３００の後ろ側において、カム板３０９の左回りに回動し、カム板３０９の第１突部４３１が、連結杆３０２の逃がし孔４２３に挿入した状態で、ダンパー板３０６のカム形状４４１（図４参照）を摺動し、ダンパー板３０６の上側が後方に突出する方向にするダンパー板３０６を回動させるとともに、作動杆３０５の係合孔４５６を押し下げ、本体フレーム３０１に対して作動杆３０５を下方にスライドさせ、図７に示すフォトセンサ３１２の発光部３４７と受光部３４８の間に遮光片４５８を挿入して、フォトセンサ３１２を作動させ、図２に示した主制御基板２０にスロットマシン１のゲーム状態のリセットを行わせる。
【０１２６】
前扉キー６００を左回りに回動させた後、前扉キー６００に力を加えるのをやめると、コイルバネ３０７の付勢力により、本体フレーム３０１に対して作動杆３０５が上方にスライドし、コイルバネ３０８の付勢力により、ダンパー板３０６の上側が前方に移動する方向にするダンパー板３０６が回動して、施錠装置ユニット３００は図５に示す施錠状態に戻る。
【０１２７】
次に、前扉開放検出スイッチ８５について説明する。
図１０は、開放検出スイッチ８５及びその周辺部を示す側面図である。
【０１２８】
図１０において、前扉開放検出スイッチ８５は、筐体２の内壁にネジ７１０によりネジ止め固定される本体部７１１と、前記前扉３が閉められた際に施錠装置ユニット３００の本体フレーム３０１の支持板部３３１により押圧される押圧部７１２を有している。前扉開放検出スイッチ８５は、機械式のスイッチを採用しており、押圧部７１２から支持板部３３１が離れ、本体部７１１から押圧部７１２が突出することでオン状態となり、この検出出力をリード線７１３、７１４を介して主制御基板に伝達する。
【０１２９】
以下、主電源装置２３について詳細に説明する。
図１１は、主電源装置２３の分解斜視図である。
【０１３０】
図１１において、主電源装置２３は、筐体７３１の内部に電源装置基板２４を収納し、筐体７３１の前面部７３２に電源スイッチ８１、リセット釦８２、設定錠８３等を設けたものである。前面部７３２の左上コーナー及び左下のコーナーの若干内側には、扉８４の回動軸となる円柱部材７３３、７３４が設けられている。
【０１３１】
扉８４は、透明樹脂で形成され、左上コーナー及び左下のコーナーに、当該扉８４の回動軸となる円柱部材７３３、７３４にそれぞれ掛かるフック部７３５、７３６がそれぞれ形成されている。扉８４の右側中間部には、摘み部材７４０を取り付ける取り付け孔７３７が形成されている。摘み部材７４０の前部には、指で握られる円形部７４１が形成されている。摘み部材７４０の後部には、筐体７３１の前面部７３２に形成された嵌合穴７３８と嵌合する嵌合部７４２が形成されている。扉８４と前面部７３２の間には、ねじりバネ７３９が設けられている。ねじりバネ７３９は、前面部７３２を閉塞する方向に扉８４を付勢している。
【０１３２】
このような構造により、主電源装置２３の扉８４は、摘み部材７４０の円形部７４１を指で引くことで摘み部材７４０の嵌合部７４２が嵌合穴７３８から外れ、円柱部材７３３、７３４を中心にして回動し、前面部７３２の電源スイッチ８１、リセット釦８２、設定錠８３等の操作部が操作可能となる。
【０１３３】
扉８４が開いた状態で円形部７４１から指を離せば、ねじりバネ７３９の付勢により扉８４が閉まる方向に回動し、摘み部材７４０の嵌合部７４２が嵌合穴７３８に挿入して嵌合し、扉８４は閉まった状態で固定される。
【０１３４】
次に、設定錠８３及びその関連部材について詳細に説明する。
図１２は、設定錠８３及びその周辺部の断面図である。図１３は、印刷配線板８７２及び可動接点８７４の正面図である。
【０１３５】
図１２において、設定キー８００は、金属製の板状部８０１の前部の一方及び他方の脇に設定用シリンダ錠ロータ８１２と嵌合する嵌合部８０２、８０３が形成されている。嵌合部８０２、８０３には後述の複数個のロックプレート８５１、８５２…が当接する複数の凹凸部８０４、８０５…が形成されている。
【０１３６】
設定錠８３は、設定用シリンダ錠本体８１１と、設定用シリンダ錠ロータ８１２とを備えている。
設定用シリンダ錠本体８１１は、筒状に形成され、主電源装置２３の前面部７３２に固定される。
【０１３７】
設定用シリンダ錠ロータ８１２は、設定キー８００の嵌合部８０２、８０３に嵌合する設定キー嵌合部８３０を有し、前記設定用シリンダ錠本体８１１の筒内に挿入され、当該筒内で係止固定状態及び回転可能な状態の何れか一方の状態にあり、前記嵌合部８３０が前記設定キー８００の嵌合部８０２、８０３と嵌合することで前記筒内での係止固定状態を解除する。
【０１３８】
設定用シリンダ錠本体８１１は、前面部８３１と、円筒部８３２と、固定部材８３３とを備えている。
設定用シリンダ錠ロータ８１２は、前側から順に太径部８４１、中径部８４２、細径部８４３が形成されている。
【０１３９】
設定用シリンダ錠本体８１１の円筒部８３２は、後方が固定部材８３３の前側の開口８３４にかしめにより固定されている。円筒部８３２の前方の開口８３５には、前面部８３１が挿入され、かしめにより固定されている。円筒部８３２は、設定キー８００の中間部８０６を覆う。前面部８３１には、鍵穴８３６が形成されている。
【０１４０】
固定部材８３３の後方の内周には、逆フランジ部８４４が形成され、逆フランジ部８４４の内側の貫通孔８４５には、設定用シリンダ錠ロータ８１２の中径部８４２が軸支されるようになっている。設定用シリンダ錠ロータ８１２の細径部８４３には、リング８４６が取り付けられている。リング８４６は、係止金具８４７により後方に移動できないように係止されている。
【０１４１】
設定用シリンダ錠ロータ８１２の太径部８４１には、当該太径部８４１の径方向に移動可能な複数個のロックプレート８５１、８５２…が設けられている。これらの複数個のロックプレート８５１、８５２…は、図示しないバネにより先端側から順に一方及び他方の径方向に交互に付勢され、鍵穴８３６に設定キー８００が挿入されていない状態で、設定用シリンダ錠ロータ８１２の外周部に形成されたロック溝８４８、８４９に嵌入して設定用シリンダ錠ロータ８１２を設定用シリンダ錠本体８１１に回動不能な状態でロックにするようになっている。
ロックプレート８５１、８５２…は、設定キー８００の凹凸部８０４、８０５…に対応した位置にキー挿通孔８６１、８６２……が形成されている。
【０１４２】
前面部８３１の鍵穴８３６に設定キー８００が挿入されると、キー挿通孔８６１、８６２……の付勢方向の逆側の端部に凹凸部８０４、８０５…が当接して、キー挿通孔８６１、８６２……が移動し、ロックプレート８５１、８５２…の先端部が設定用シリンダ錠ロータ８１２の太径部８４１の外周部と面一になり、設定用シリンダ錠ロータ８１２と設定用シリンダ錠本体８１１とのロックが解除されて設定用シリンダ錠ロータ８１２が設定キー８００と共に回動可能となる。
【０１４３】
設定用シリンダ錠本体８１１の固定部材８３３の左側面の後寄りには、当該固定部材８３３の内周と外周の間を貫通してフォトセンサ９１を取り付けられている。フォトセンサ９１は、反射式を採用しており、固定部材８３３の筒内に向けて光を照射する発光部８６３と固定部材８３３の筒内の設定キー８００の板状部８０１から反射した光を受光する受光部８６４を有している。
【０１４４】
設定用シリンダ錠ロータ８１２には、設定キー８００を少なくとも設定用シリンダ錠ロータ８１２の回動角が第１の回動範囲ある状態で設定キー８００の板状部８０１の先端近傍をフォトセンサ９１に対して露出させる貫通部８６５が形成されている。尚、設定用シリンダ錠ロータ８１２には、フォトセンサ９１の板状部８０１に検出されなくするための黒色塗装が施されている。設定キー８００には、フォトセンサ９１に検出させるためステンレス鋼等の表面が銀色の素材が用いられている。
【０１４５】
このような構造により、フォトセンサ９１は、設定キー嵌合部８３０に対する設定キー８００の嵌合を検出する設定キー嵌合検出手段になっている。
【０１４６】
設定キー動作検出スイッチ９２は、設定用シリンダ錠ロータ８１２の回動角が第１乃至第３の回動範囲の何れにあるかを検出する設定用シリンダ錠ロータ回動角検出手段である。
設定キー動作検出スイッチ９２は、スイッチケース８７１と、印刷配線板８７２と、回転子８７３と、可動接点８７４により構成されている。
【０１４７】
スイッチケース８７１は前側ケース半体８８１と後側ケース半体８８２とから構成される。
前側ケース半体８８１は、合成樹脂製を素材とし、設定用シリンダ錠本体８１１の固定部材８３３の後方にネジ８８３によりネジ止め固定される。後側ケース半体８８２は、合成樹脂製を素材とし、前側ケース半体８８１の後方にネジ８８４によりネジ止め固定され、前側ケース半体８８１とともに印刷配線板８７２、回転子８７３、可動接点８７４を収納する。
【０１４８】
前側ケース半体８８１は、回転子８７３を回転可能な状態で軸支する軸受部８８５が設けられている。
回転子８７３は、前記設定用シリンダ錠ロータ８１２の端部に嵌め込まれて取り付けられている。
後側ケース半体８８２の奥面には、固定接点８９１、８９２、８９３（図１３参照）を有する印刷配線板８７２が取り付けられている。
【０１４９】
前側ケース半体８８１と後側ケース半体８８２の間には、リード線９０１、９０２、９０３が挿通される貫通孔８８６が形成される。リード線９０１、９０２、９０３は、図１３に示す印刷配線板８７２の固定接点８９１、８９２、８９３に接続される。
【０１５０】
図１２において、可動接点８７４は印刷配線板８７２に対向して回転子８７３の後部に取り付けられ、その後面が印刷配線板８７２上を摺動するようになっている。
【０１５１】
図１３において、印刷配線板８７２の固定接点８９１は、回転子８７３の回転軸Ｓ１の回転軸を中心にして前方から見て右回りの１６０°から２８０°までの範囲の円周上に形成されている。回転子８７３の可動接点８７４は、固定接点８９２、８９３に対して回転軸Ｓ１を通る線Ｌ１で接触するものとする。
【０１５２】
印刷配線板８７２の固定接点８９２は、回転軸Ｓ１を中心にして前方から見て右回りの３５０°から１０°までの範囲の円周上に形成されている。
印刷配線板８７２の固定接点８９３は、回転軸Ｓ１の回転軸を中心にして前方から見て真上から右回りの８８°から１１０°までの範囲の円周上に形成されている。固定接点８９１、８９２、８９３は、それぞれ配線パターン８９４、８９５、８９６を介して半田付けランド８９７、８９８、８９９に接続されている。半田付けランド８９７、８９８、８９９には、リード線９０１、９０２、９０３の電導線が半田により電気的に接続されている。印刷配線板８７２の固定接点８９１、８９２、８９３、配線パターン８９４、８９５、８９６及び半田付けランド８９７、８９８、８９９を除く部分は、電気を通さない絶縁部９０４となっている。印刷配線板８７２の固定接点８９１には、リード線９０１を介してハイレベル（Ｈ）の電圧が印可されている。
【０１５３】
設定用シリンダ錠ロータ８１２が施錠状態の場合、可動接点８７４の一端側８７６は真上を向いて固定接点８９２に接触し、可動接点８７４の他端側８７７は真下を向いて固定接点８９１に接触し、固定接点８９１が可動接点８７４を介して固定接点８９２と電気的に接続した状態になる。
【０１５４】
設定用シリンダ錠ロータ８１２及びこれに固定された可動接点８７４の回転角は、可動接点８７４の一端側８７６が真上向きとなる０°から右向きの９０°の範囲となる。この範囲では固定接点８９１と可動接点８７４は常に接続している。
【０１５５】
図１４は、設定キー８００を操作して設定錠８３の設定用シリンダ錠ロータ８１２を回転させた場合のフォトセンサ９１及び設定キー動作検出スイッチ９２の出力とこの出力に対する回路処理を示すタイミングチャートである。
【０１５６】
図１４（ａ）はフォトセンサ９１からの出力ａ０を示し、図１４（ｂ）はリード線９０２からの出力ａ１を示し、図１４（ｃ）はリード線９０３からの出力ａ２を示し、図１４（ｄ）は出力ａ１と出力ａ２を１／２に減衰させた出力とを加算した加算出力ａ３を示している。
【０１５７】
また、図１４おいて、期間Ａは、フォトセンサ９１が設定キー嵌合部８３０に対する設定キー８００の嵌合を検出してから可動接点８７４の一端側８７６が固定接点８９２上を摺動している状態を示している。期間Ｂは、可動接点８７４の一端側８７６が固定接点８９２と固定接点８９３との間の絶縁部９０４上を摺動している状態、期間Ｃは、可動接点８７４の一端側８７６が固定接点上を摺動している状態を示している。
【０１５８】
設定用シリンダ錠ロータ８１２が施錠状態の場合、可動接点８７４の一端側８７６は真上を向いて固定接点８９２に接触し、回転子８７３の他端側８７７は真下を向いて固定接点８９１に接触し、固定接点８９１が可動接点８７４を介して固定接点８９２と電気的に接続した状態になる。
【０１５９】
ここで、作業者が設定錠８３の鍵穴８３６に設定キー８００を挿入し、設定用シリンダ錠ロータ８１２と設定用シリンダ錠本体８１１とのロックを解除し、設定キー８００を右回りに回転させると、フォトセンサ９１及び設定キー動作検出スイッチ９２は、期間Ａ→B→Cの状態となる。この場合、図１４（ａ）に示すフォトセンサ９１の出力ａ１は、期間Ａの始まりのタイミングＴ０でローレベルＬからハイレベルＨに立ち上がり、期間Bの途中のタイミングＴｂでハイレベルＨからローレベルＬに立ち下がる。図１４（ｂ）に示すリード線９０２からの出力ａ１は、期間Ａと期間Bの境界のタイミングＴ１でハイレベルＨからローレベルＬに立ち下がる。図１４（ｃ）に示すリード線９０３からの出力ａ２は、期間Bと期間Ｃの境界のタイミングＴ２でローレベルＬからハイレベルＨに立ち上がる。図１４（ｄ）に示す主制御基板２０により出力ａ１と出力ａ２を１／２に減衰した出力を加算した加算出力ａ３は、期間Ａと期間Bの境界のタイミングＴ１でハイレベルＨからローレベルＬに立ち下がり、期間Bと期間Ｃの境界のタイミングＴ２でローレベルＬからハイレベルＨの１／２のミドルレベルＭに立ち上がる。
【０１６０】
本実施例では、フォトセンサ９１からの出力ａ０を示がローレベルＬからハイレベルＨに立ち上がって後に加算出力ａ３においてハイレベルＨの状態からローレベルＬに立ち下がった後ミドルレベルＭに立ち上がった出力を設定キー回転信号としている。
【０１６１】
主制御基板２０は、加算出力ａ３のハイレベルＨからローレベルＬに立ち下がりとローレベルＬからミドルレベルＭへの立ち上がりを連続して検出することで、設定錠８３に対して設定変更許可操作が行われたことを判別する。
【０１６２】
主制御基板２０は、期間Ａと期間Bの時間を当該主制御基板２０に設けられたクロック信号発生器２０７からのクロック信号によりカウントし、期間Ａと期間Bの双方がそれぞれ第１及び第２の所定の時間内であった場合、設定錠８３に対して正常な動作が行われていると判別し、期間Ａが第１の所定の時間を超えるか、または期間Bが第２の所定の時間を超えた場合には不正な操作が行われたと判別し、サブ制御基板３０を介して演出装置２３０に対して警報を出力させる制御を行い、異常発生信号を外部集中端子基板２５（図２参照）に出力し、演出用放音部６２（図１参照）のスピーカ３２ａ、３２ｂ、３８ａ、３８ｂ（図２参照）に警報を発声させ、設定キー回転信号（図１４参照）の受付を禁止することで、数値情報表示部４００に入賞によって獲得したメダル数を表示した状態を維持し、処理を終了する。
【０１６３】
ここで、本実施例では、期間Ａの判別基準となる第１の所定の時間として例えば１０秒を採用し、期間Bの判別基準となる第２の所定の時間として例えば１秒を採用している。鍵穴８３６に不正器具を挿入して設定錠８３の解錠操作（いわゆるピッキング行為）を行った場合には、期間Ａが１０秒を超え、期間Bが１秒を超えることになる。
【０１６４】
以下、スロットマシン１における入賞役の抽選確率の設定を数値情報表示部４００に表示する場合の動作を説明する。
図１５は入賞役の抽選確率の設定を数値情報表示部４００に表示する場合及び表示を禁止する場合における主制御基板２０のＣＰＵ２００の処理を示すフローチャートである。
【０１６５】
図１５において、主制御基板２０（図３参照）のＣＰＵ２００（図３参照）は、入賞役の抽選確率の設定を数値情報表示部４００（図１参照）に表示するか否かの処理を行う場合、まず、ステップＳ１において、フォトセンサ３１１（図３及び図５参照）の出力から前扉用シリンダ錠７８が施錠解除操作されたかを判別する。ここで、フォトセンサ３１１が検出結果がカム板３０９（図５参照）を検出したことを示していない場合、ステップＳ１の判定がＮＯとなり、ＣＰＵ２００はステップＳ２の処理に移行する。また、フォトセンサ３１１が検出結果がカム板３０９を検出したことを示す検出信号を出力した場合、ステップＳ１の判定がＹＥＳとなり、ＣＰＵ２００はステップＳ３の処理に移行する。
【０１６６】
ステップＳ２において、ＣＰＵ２００は、前扉開放検出スイッチ８５がオン状態であるか否かを検出する。ここで、筐体２（図２参照）に対して前扉３（図２参照）が閉じられ、押圧部７１２（図１０参照）が支持板部３３１（図４及び図１０参照）により押圧された状態では、ステップＳ２の判定がＮＯとなり、ＣＰＵ２００はステップＳ１の処理に戻る。また、筐体２に対して前扉３が開かれ、押圧部７１２から支持板部３３１が離れた状態では、ステップＳ２の判定がＹＥＳとなり、ＣＰＵ２００はステップＳ１０の処理に移行する。
【０１６７】
ステップＳ１０において、ＣＰＵ２００は、サブ制御基板３０を介して演出装置２３０に対して警報を出力させる制御を行い、異常発生信号を外部集中端子基板２５（図２参照）に出力し、演出用放音部６２（図１参照）のスピーカ３２ａ、３２ｂ、３８ａ、３８ｂ（図２参照）に警報を発声させ、設定キー回転信号（図１４参照）の受付を禁止することで、数値情報表示部４００に入賞によって獲得したメダル数を表示した状態を維持し、処理を終了する。
【０１６８】
一方、ステップＳ３において、ＣＰＵ２００は、前扉開放検出スイッチ８５がオン状態であるか否かを検出する。ここで、筐体２に対して前扉３が閉じられた状態では、ステップＳ３の判定がＮＯとなり、ＣＰＵ２００はステップＳ４の処理に移行する。また、筐体２に対して前扉３が開かれ、押圧部７１２から支持板部３３１が離れた状態では、ステップＳ３の判定がＹＥＳとなり、ＣＰＵ２００はステップＳ５の処理に移行する。
【０１６９】
ステップＳ４において、ＣＰＵ２００は、加算出力ａ３（図１４参照）に対して設定キー回転信号（図１４参照）の検出処理を行いうことで、設定キー回転信号を受け付けたか否かの判別を行う。ここで、設定錠８３が操作されない状態では、ステップＳ４の判定がＮＯとなり、ＣＰＵ２００は、ステップＳ３の処理に戻る。また、作業者が設定錠８３の鍵穴８３６に設定キー８００を挿入し、設定キー８００を右回りに回転させた場合、加算出力ａ３は、期間Ａ→B→Cの状態となり、ＣＰＵ２００は、設定キー回転信号を受け付け、ステップＳ４の判定がＹＥＳとなり、ステップＳ１０の処理に移行する。
【０１７０】
ステップＳ５において、ＣＰＵ２００は、フォトセンサ９１からの出力ａ０を示がローレベルＬからハイレベルＨに立ち上がってから加算出力ａ３がハイレベルＨからローレベルＬに立ち下がるまでの期間Ａをカウントし、加算出力ａ３がハイレベルＨからローレベルＬに立ち下がってからハイレベルＨの１／２のミドルレベルＭに立ち上がるまでの期間Ｂをカウントし、ステップＳ６の処理に移行する。
【０１７１】
ステップＳ６において、ＣＰＵ２００は、加算出力ａ３に基づいて、設定キー回転信号を受け付けたか否かの判別を行う。ここで、加算出力ａ３がローレベルＬからミドルレベルＭに立ち上がる期間Ｃまで操作されない状態では、ステップＳ６の判定がＮＯとなり、ＣＰＵ２００は、ステップＳ６の処理を繰り返す。作業者が設定錠８３の鍵穴８３６に設定キー８００を挿入し、設定キー８００を右回りに回転させた場合、加算出力ａ３は、期間Ａ→B→Cの状態となり、ＣＰＵ２００は、設定キー回転信号を受け付け、ステップＳ６の判定がＹＥＳとなり、ステップＳ７の処理に移行する。
【０１７２】
ステップＳ７において、ＣＰＵ２００は、ステップＳ５でカウントした期間Ａと期間Bの双方がそれぞれ第１及び第２の所定の時間内であるか否かの判別を行っている。ＣＰＵ２００は、ステップＳ５でカウントした期間Ａと期間Bの双方がそれぞれ第１及び第２の所定の時間内であった場合、ステップＳ７の判定がＹＥＳとなり、設定錠８３に対して正常な動作が行われていると判別し、ステップＳ８の処理に移行し、期間Ａが第１所定の時間を超えるか、または期間Bが第２の所定の時間を超えた場合には、ステップＳ７の判定がＮＯとなり、不正な操作が行われたと判別しステップＳ１０の処理に移行する。
【０１７３】
ステップＳ８において、ＣＰＵ２００は、数値情報表示部４００に入賞役の抽選確率の設定を１から６までの数字で数値表示する制御を行い処理を終了する。
【０１７４】
ここで、正規の作業で筐体２に対して前扉３を開き設定錠８３の鍵穴８３６に設定キー８００を挿入して設定表示を行う場合を考える。
この場合、作業者は、前扉キー６００を用いて前扉用シリンダ錠７８に対して解錠操作を行い、次に筐体２に対して前扉３を開くことで前扉開放検出スイッチ８５をオン状態とし、この後、設定錠８３の鍵穴８３６に設定キー８００を挿入し、設定変更許可操作を行った場合、ＣＰＵ２００は、処理がステップＳ１→Ｓ３→Ｓ５→Ｓ６→Ｓ７→Ｓ８の流れとなり、数値情報表示部４００に入賞役の抽選確率の設定を１から６までの数字で数値表示する。
【０１７５】
次に、不正を行う者が、前扉用シリンダ錠７８に対して解錠操作を行うことなく、閉じられた前扉３と筐体２の間の隙間から不正器具を挿入し、フック３０３、３０４による前記受け金具２６、２７の係止を強制的に解除し、前扉３が開いた場合には、ＣＰＵ２００は、処理がステップＳ１→Ｓ２→Ｓ１０の流れとなり、ステップＳ１０において、演出装置２３０に対して警報を出力させる制御を行い、異常発生信号を外部集中端子基板２５（図２参照）に出力し、演出用放音部６２（図１参照）のスピーカ３２ａ、３２ｂ、３８ａ、３８ｂ（図２参照）に警報を発声させ、数値情報表示部４００に入賞によって獲得したメダル数を表示した状態を維持する。
【０１７６】
次に、不正を行う者が、閉じられた前扉３と筐体２の間の隙間から不正器具を挿入し、さらに主電源装置２３に不正器具を挿入して設定錠８３の鍵穴８３６に不正器具を挿入して挿入し、設定変更許可操作を行った場合には、ＣＰＵ２００は、処理がステップＳ１→Ｓ３→Ｓ４→Ｓ１０の流れとなり、ステップＳ１０において、異常発生信号を外部集中端子基板２５（図２参照）に出力する等の異常に対応した処理を行う。
【０１７７】
また、不正を行う者が、偽造された前扉キーを用いて前扉用シリンダ錠７８に対して解錠操作を行い、次に筐体２に対して前扉３を開くことで前扉開放検出スイッチ８５をオン状態とし、この後、設定錠８３の鍵穴８３６に不正器具を挿入して設定錠８３の解錠操作を行った場合には、ＣＰＵ２００は、処理がステップＳ１→Ｓ３→Ｓ５→Ｓ６→Ｓ７→Ｓ１０の流れとなり、ステップＳ１０において、異常発生信号を外部集中端子基板２５（図２参照）に出力する等の異常に対応した処理を行う。
【０１７８】
図１６及び図１７は主制御基板２０のＣＰＵ２００が正規及び不正な設定の設定変更操作を判別する場合の処理の第１及び第２の部分をそれぞれ示すフローチャートである。
図１６及び図１７において、主制御基板２０（図３参照）のＣＰＵ２００（図３参照）が正規及び不正な設定の設定変更操作を判別する場合、まず、ステップＳ１１において、ＣＰＵ２００は、主電源装置２３（図１１参照）の前面の電源スイッチ８１（図１１参照）がオンされているか否かを判別する。ここで、電源スイッチ８１がオンされていない場合、ステップＳ１１の判定がＮＯとなり、ＣＰＵ２００は、ステップＳ１１の処理を繰り返す。
【０１７９】
また、電源スイッチ８１がオンされている場合は、ステップＳ１１の判定がＹＥＳとなり、ＣＰＵ２００は、ステップＳ１２の処理に移行する。
【０１８０】
ステップＳ１２において、ＣＰＵ２００は、前扉用シリンダ錠７８（図１２参照）に対して解錠操作が行われていたか否かを記憶部２０１の解錠フラグがセットされているか否かで検出する。
【０１８１】
ここで、記憶部２０１の解錠フラグは、フォトセンサ３１１（図５参照）が検出結果がカム板３０９の第１突部４３１（図５参照）を検出したことを示す検出信号を一度入力するとセットされ、前扉開放検出スイッチ８５（図１０参照）の出力より扉３が開放された状態から閉塞されたことを検出するとリセットされる。ここで、解錠フラグがセットされていなかった場合には、ステップＳ１２の判定がＮＯとなり、ＣＰＵ２００は、ステップＳ１３の処理に移行する。また、解錠フラグがセットされていた場合には、ステップＳ１２の判定がＹＥＳとなり、ステップＳ１５の処理に移行する。
【０１８２】
ステップＳ１３において、ＣＰＵ２００は、前扉開放検出スイッチ８５がオン状態であるか否かを検出する。ここで、筐体２に対して前扉３が開かれ、押圧部７１２（図１０参照）から支持板部３３１（図１０参照）が離れた状態では、ステップＳ１３の判定がＹＥＳとなり、ＣＰＵ２００は、ステップＳ３０の処理に移行する。また、筐体２に対して前扉３が閉じられた状態では、ステップＳ１３の判定がＮＯとなり、ＣＰＵ２００は、ステップＳ１４の処理に移行する。
【０１８３】
ステップＳ３０において、ＣＰＵ２００は、主電源装置２３の電源スイッチ８１がオンされているか否かを判別する。ここで、電源スイッチ８１がオンされていない場合には、ステップＳ３０の判定がＮＯとなり、ＣＰＵ２００は、ステップＳ３０の処理を繰り返す。そして、ＣＰＵ２００は、電源スイッチ８１がオンされた時点で、ステップＳ３０の判定がＹＥＳとなり、図１７に示すステップＳ３１の処理に移行する。
【０１８４】
ステップＳ３１において、ＣＰＵ２００は、サブ制御基板３０を介して演出装置２３０に対して警報を出力させる制御を行い、異常発生信号を外部集中端子基板２５（図２参照）に出力し、演出用放音部６２（図１参照）のスピーカ３２ａ、３２ｂ、３８ａ、３８ｂ（図２参照）に警報を発声させ、設定変更釦８６(図２参照)の操作による設定変更操作信号の受付を禁止して処理を終了する。
【０１８５】
図１６に示すステップＳ１４において、ＣＰＵ２００は、加算出力ａ３（図１４参照）に対して設定キー回転信号（図１４参照）の検出処理を行いうことで、設定キー回転信号を受け付けたか否かの判別を行う。ここで、設定錠８３が操作されない状態では、ステップＳ１４の判定がＮＯとなり、ＣＰＵ２００は、ステップＳ１１の処理に戻る。作業者が設定錠８３（図１２参照）の鍵穴８３６（図１２参照）に設定キー８００（図１２参照）を挿入し、設定キー８００を右回りに回転させた場合、ＣＰＵ２００は、設定キー回転信号を受け付け、ステップＳ１４の判定がＹＥＳとなり、ステップＳ３０の処理に移行する。
【０１８６】
ステップＳ１５において、ＣＰＵ２００は、前扉開放検出スイッチ８５がオン状態であるか否かを検出する。ここで、筐体２に対して前扉３が閉じられた状態では、ステップＳ１５の判定がＮＯとなり、ＣＰＵ２００は、ステップＳ１４の処理に移行する。また、筐体２に対して前扉３が開かれ、押圧部７１２から支持板部３３１が離れた状態では、ステップＳ１５の判定がＹＥＳとなり、ＣＰＵ２００は、ステップＳ１６の処理に移行する。
【０１８７】
ステップＳ１６において、ＣＰＵ２００は、フォトセンサ９１からの出力ａ０を示がローレベルＬからハイレベルＨに立ち上がってから加算出力ａ３の設定キー回転信号がハイレベルＨからローレベルＬに立ち下がるまでの期間Ａをカウントし、加算出力ａ３の設定キー回転信号がハイレベルＨからローレベルＬに立ち下がってからハイレベルＨの１／２のミドルレベルＭに立ち上がるまでの期間Ｂをカウントし、ステップＳ１７の処理に移行する。
【０１８８】
ステップＳ１７において、ＣＰＵ２００は、加算出力ａ３（図１４参照）に対して設定キー回転信号（図１４参照）の検出処理を行いうことで、設定キー回転信号を受け付けたか否かの判別を行う。ここで、ＣＰＵ２００は、加算出力ａ３の設定キー回転信号がローレベルＬからミドルレベルＭに立ち上がる期間Ｃまでは、ステップＳ１７の判定がＮＯとなり、ステップＳ１７の処理を繰り返す。作業者が設定錠８３の鍵穴８３６に設定キー８００を挿入し、設定キー８００を右回りに回転させた場合、ＣＰＵ２００は、設定キー回転信号を受け付け、ステップＳ１７の判定がＹＥＳとなり、ステップＳ１８の処理に移行する。
【０１８９】
ステップＳ１８において、ＣＰＵ２００は、ステップＳ１６でカウントした期間Ａと期間Bの双方がそれぞれ第１及び第２の所定の時間内であるか否かの判別を行っている。ＣＰＵ２００は、ステップＳ１６でカウントした期間Ａと期間Bの双方がそれぞれ第１及び第２の所定の時間内であった場合、ステップＳ１８の判定がＹＥＳとなり、設定錠８３に対して正常な動作が行われていると判別し、ステップＳ１９の処理に移行し、期間Ａが第１所定の時間を超えるか、または期間Bが第２の所定の時間を超えた場合には、ステップＳ１８の判定がＮＯとなり、不正な操作が行われたと判別しステップＳ３１の処理に移行する。
【０１９０】
ステップＳ１９において、ＣＰＵ２００は、主電源装置２３の前面には電源スイッチ８１がオンされているか否かを判別する。ここで、ＣＰＵ２００は、電源スイッチ８１がオンされていない場合、ステップＳ１０の判定がＮＯとなり、ステップＳ１９の処理を繰り返す。そして、ＣＰＵ２００は、電源スイッチ８１がオンされた時点で、ステップＳ１９の判定がＹＥＳとなり、図１７に示すステップＳ２０の処理に移行する。
【０１９１】
ステップＳ２０において、ＣＰＵ２００は、現時点でセットされている入賞役の抽選確率の設定を設定候補値として１から６までの数字で数値情報表示部４００に数値表示する制御を行いステップＳ２１の処理に移行する。
【０１９２】
ステップＳ２１において、ＣＰＵ２００は、設定変更釦８６がオン操作されたか否かを検出する。ここで、設定変更釦８６がオン操作された場合には、ステップＳ２１の判定がＹＥＳとなって、ＣＰＵ２００は、ステップＳ２２の処理に移行する。また、設定変更釦８６がオン操作されなかった場合には、ステップＳ２２の判定がＮＯとなって、ＣＰＵ２００は、ステップＳ２３の処理に移行する。
【０１９３】
ステップＳ２２において、ＣＰＵ２００は、数値情報表示部４００に表示されている設定候補値を一回変更し、ステップＳ２３の処理に移行する。ここで、設定候補値を一回変更する方法は、変更前の設定候補値が１から５場合、数字１だけカウントアップすることで変更後の設定候補値とし、変更前の設定候補値が６の場合、１を変更後の設定候補値としている。
【０１９４】
ステップＳ２３において、ＣＰＵ２００は、レバー７５がオン操作されたか否かを検出している。ここで、レバー７５がオン操作されなかった場合には、ステップＳ２３の判定がＮＯとなって、ＣＰＵ２００は、ステップＳ２１の処理に戻り移行し、レバー７５がオン操作され場合には、ステップＳ２３の判定がＹＥＳとなって、ＣＰＵ２００は、ステップＳ２４の処理に移行する。
【０１９５】
ステップＳ２４において、ＣＰＵ２００は、数値情報表示部４００に表示されている設定候補値を実際の設定値とし、この設定値を元の設定値と入れ換えて記憶部２０１に記憶することで設定変更を行う。
【０１９６】
ここで、正規の作業で筐体２に対して前扉３を開き設定錠８３の鍵穴８３６に設定キー８００を挿入して設定変更を行う場合を考える。
この場合、作業者は、前扉キー６００を用いて前扉用シリンダ錠７８に対して解錠操作を行い、次に筐体２に対して前扉３を開くことで前扉開放検出スイッチ８５をオン状態とし、電源スイッチ８１をオフし、この後、設定錠８３の鍵穴８３６に設定キー８００を挿入し、設定キー８００を右回りに回して設定キー８００の幅方向をオン方向にし、電源スイッチ８１をオンし、設定変更釦８６をｎ回押すことで、設定候補値をｎ回変更し、レバー７５をオン操作することで、設定候補値を実際の設定値として主制御基板２０の記憶部２０１に記憶させる。この場合、主制御基板２０のＣＰＵ２００は、処理がステップＳ１１→Ｓ１２→Ｓ１５→Ｓ１６→Ｓ１７→Ｓ１８→Ｓ１９→Ｓ２０→（Ｓ２１→Ｓ２２→Ｓ２３のｎ回ループ）→Ｓ２４の流れとなり、入賞役の抽選確率の設定が正常に変更される。この後、設定錠８３に差し込まれた設定キー８００を左回りに回して設定キー８００の幅方向をオフ方向にし、設定錠８３から設定キー８００を引き抜き、電源スイッチ８１をオンし、次に筐体２に対して前扉３を閉塞することでスロットマシン１が遊技可能になる。
【０１９７】
一方、不正を行う者が、前扉用シリンダ錠７８に対して解錠操作を行うことなく、閉じられた前扉３と筐体２の間の隙間から不正器具を挿入し、可動フック３０３、３０４による受け金具２６、２７の係止を強制的に解除し、前扉３を開いた場合、ＣＰＵ２００は、処理がステップＳ１１→Ｓ１２→Ｓ１３→Ｓ３０→Ｓ３１の流れとなり、ステップＳ３１において、演出装置２３０に対して警報を出力させる制御を行い、異常発生信号を外部集中端子基板２５（図２参照）に出力し、演出用放音部６２（図１参照）のスピーカ３２ａ、３２ｂ、３８ａ、３８ｂ（図２参照）に警報を発声させ、数値情報表示部４００に入賞によって獲得したメダル数を表示した状態を維持する。
【０１９８】
次に、不正を行う者が、閉じられた前扉３と筐体２の間の隙間から不正器具を挿入し、前扉３を開くことなく主電源装置２３の電源スイッチ８１がオンし、さらに主電源装置２３に不正器具を挿入して設定錠８３の鍵穴８３６に不正器具を挿入して挿入し、設定候補値の表示操作を行った場合、ＣＰＵ２００は、処理がステップＳ１１→Ｓ１２→Ｓ１３→Ｓ１４→Ｓ３１またはステップＳ１１→Ｓ１２→Ｓ１５→Ｓ１４→Ｓ３１の流れとなり、ステップＳ３１において、演出装置２３０に対して警報を出力させる等の異常に対応した処理を行う。
【０１９９】
尚、ＣＰＵ２００の処理がステップＳ１１→Ｓ１２→Ｓ１３→Ｓ１４→Ｓ３１の流れとなるのは、前扉用シリンダ錠７８に対して解錠操作が行われることなく不正行為が行われていた場合であり、ＣＰＵ２００の処理がステップＳ１１→Ｓ１２→Ｓ１５→Ｓ１４→Ｓ３１の流れとなるのは、前扉用シリンダ錠７８に対して解錠操作が行われたが前扉３が開かれることなく不正行為が行われていた場合である。
【０２００】
また、不正を行う者が、偽造された前扉キーを用いて前扉用シリンダ錠７８に対して解錠操作を行い、次に筐体２に対して前扉３を開くことで前扉開放検出スイッチ８５をオン状態とし、この後、設定錠８３の鍵穴８３６に不正器具を挿入して設定錠８３の解錠操作を行った場合には、ＣＰＵ２００は、処理がステップＳ１１→Ｓ１２→Ｓ１５→Ｓ１６→Ｓ１７→Ｓ１８→Ｓ３１の流れとなり、ステップＳ３１において、演出装置２３０に対して警報を出力させる等の異常に対応した処理を行う。
【０２０１】
以上に説明した構成及び動作を纏めて説明すると、ＣＰＵ２００、入賞抽選テーブル２０３及び乱数発生装置２０５は、所定の遊技操作を契機に入賞役を抽選する抽選手段となっている。
前記所定の遊技操作は、レバー７５のオン操作のことである。
【０２０２】
主電源装置２３は、前記筐体２の壁面９に形成された貫通孔１０を介しての筐体２の外部から電力が供給され、供給された電力から所定の電圧値の電力を生成して前記抽選手段及び前記遊技媒体払い出し手段に供給する電源ユニットとなっている。
【０２０３】
前扉用シリンダ錠本体６１１は、筒状に形成され、前記前扉３に設けられている。
前扉用シリンダ錠ロータ６１２は、前扉キー６００と嵌合する前扉キー嵌合部６３０を有し、前記前扉用シリンダ錠本体６１１の筒内に挿入され、当該筒内で係止固定状態及び回転可能な状態の何れか一方の状態にあり、前記前扉キー嵌合部６３０が前記前扉キー６００と嵌合することで前記筒内での係止固定状態を解除する。
【０２０４】
カム板３０９は、前記前扉用シリンダ錠本体６１１から前記前扉３の内側に突出した前記前扉用シリンダ錠ロータ６１２に固定して取り付けられている。
前扉ロック機構部９０は、前記前扉３を前記筐体２に固定するとともに前記カム板３０９の回動に連動して当該固定の解除を行う。
フォトセンサ３１１は、前記カム板３０９の回動位置が前記前扉３の固定の解除を行う位置にあるかを検出するカム板回動位置検出手段となっている。
前扉開放検出スイッチ８５は、前記前扉３または前記筐体２の内側に設けられ、前記前扉３の開放を検出する。
【０２０５】
設定用シリンダ錠本体８１１は、筒状に形成され、主電源装置２３に設けられている。
設定用シリンダ錠ロータ８１２は、設定キー８００と嵌合する設定キー嵌合部８３０を有し、前記設定用シリンダ錠本体８１１の筒内に挿入され、当該筒内で係止固定状態及び回転可能な状態の何れか一方の状態にあり、前記設定キー嵌合部８３０が前記設定キー８００と嵌合することで前記筒内での係止固定状態を解除する。
【０２０６】
フォトセンサ９１は、設定キー嵌合部８３０に対する設定キー８００の嵌合を検出する設定キー嵌合検出手段となっている。
設定キー動作検出スイッチ９２は、前記設定用シリンダ錠ロータ８１２の回動角が第１乃至第３の回動範囲の何れにあるかを検出する設定用シリンダ錠ロータ回動角検出手段となっている。
【０２０７】
前記第１の回動範囲は、可動接点８７４の一端側８７６が固定接点８９２上を摺動している状態を示し、前記第２の回動範囲は、可動接点８７４の一端側８７６が固定接点８９２と固定接点８９３との間の絶縁部９０４上を摺動している状態を示し、前記第３の回動範囲は、可動接点８７４の一端側８７６が固定接点８９３上を摺動している状態を示している。
【０２０８】
ＣＰＵ２００及びクロック信号発生器２０７は、フォトセンサ９１が前記設定キー８００の嵌合を検出してから設定キー動作検出スイッチ９２の検出結果が第１の回動範囲にある時間を検出し、この検出時間が第１の所定の時間内にあるか否かを判別するとともに、設定キー動作検出スイッチ９２の検出結果が第２の回動範囲にある時間を検出し、この検出時間が第２の所定の時間内にあるか否かを判別する時間判別手段となっている。
【０２０９】
ＣＰＵ２００は、前記設定用シリンダ錠ロータ回動角検出手段の検出結果が第１乃至第３の回動範囲を順番に連続して示した場合に前記設定キー８００に対して設定変更許可操作が行われたと判別する設定変更許可操作判別手段となっている。
【０２１０】
数値情報表示部４００は、前記設定変更許可操作判別手段の判別結果に基づいて前記入賞役の抽選確率の設定を表示する設定表示手段となっている。
設定変更釦８６は、操作入力が可能な設定変更用操作入力手段となっている。
【０２１１】
主制御基板２０及び主電源装置２３は、前記設定変更許可操作判別手段のＣＰＵ２００によって前記設定変更許可操作が行われたと判別された場合に限り、前記設定変更釦８６からの操作入力に基づいて前記抽選手段における前記入賞役の抽選確率の設定変更を行う設定変更手段となっている。
【０２１２】
また、ＣＰＵ２００は、前記時間判別手段の判別結果が所定の時間を超えたことを示した場合に、異常が発生したと見なすとともに、前記カム板回動位置検出手段の検出結果が前記筐体２に対する前記前扉３の固定の解除を示さずに、前記前扉開放検出スイッチ８５の検出結果が前記前扉３の開放を示した場合に、異常が発生したと見なすとともに、前記前扉開放検出スイッチ８５の検出結果が前扉３の閉塞を示した状態で前記設定用シリンダ錠ロータ回動角検出手段の検出結果に変化が生じた場合に、異常が発生したと見なす異常判別手段となっている。
【０２１３】
また、ＣＰＵ２００は、前記異常判別手段が異常の発生を示した場合に、図１６及び図１７に示したステップＳ１８→Ｓ３１の処理を行うことで、設定変更許可操作判別手段による設定変更許可操作の判別を無効とする制御手段となっている。
演出装置２３０及び演出用放音部６２は、前記異常判別手段が異常の発生を示した場合に、異常を報知する異常報知手段となっている。
【０２１４】
以上説明したように、本実施形態のスロットマシン１によれば、主制御基板２０のＣＰＵ２００及びクロック信号発生器２０７は、前記フォトセンサ９１が前記設定キー８００の嵌合を検出してから第１の回動範囲にある時間を検出するとともに、前記設定キー動作検出スイッチ９２の検出結果が第２の回動範囲にある時間を検出し、これら検出時間が所定の時間内にあるか否かを判別し、ＣＰＵ２００は、前記設定キー動作検出スイッチ９２の検出結果が第１乃至第３の回動範囲を順番に連続して示した場合にのみ、設定キー８００に対して設定変更許可操作が行われたと判別し、さらにＣＰＵ２００は、前記時間判別手段の判別結果が所定の時間を超えたことを示した場合に異常が発生したと見なし、この場合に、ＣＰＵ２００は、前記設定変更許可操作判別手段による設定変更許可操作の判別を無効とし、警報発報手段は、警報を発報するので、入賞役の当選確率の設定表示や設定変更が不正に行われることを防止できる。
【０２１５】
また、主制御基板２０のＣＰＵ２００は、前扉用シリンダ錠ロータ６１２に対して前記前扉キー６００を用いた解錠操作が行われることなく前扉開放検出スイッチ８５の検出結果が前記前扉３の開放を示した場合に、異常が発生したと見なすとともに、前記前扉３が閉塞された状態で前記設定用シリンダ錠ロータ８１２が回動操作された場合に異常が発生したと見なすので、前扉３が不正に開放されるのを防止できるとともに、入賞役の当選確率の設定表示や設定変更が不正に行われることを防止でき、遊技媒体の盗難を防止できるとともに、不正な遊技行為を防止できる。
【０２１６】
尚、図１乃至図１７に示した実施形態では、主制御基板２０は、フォトセンサ９１が設定キー嵌合部８３０に対する設定キー８００の嵌合を検出してから可動接点８７４の一端側８７６が固定接点８９２上を摺動している期間Ａと、可動接点８７４の一端側８７６が固定接点８９２と固定接点８９３との間の絶縁部９０４上を摺動している期間Ｂの双方の時間を検出し、期間Ａが第１の所定の時間を超えるか、または期間Bが第２の所定の時間を超えた場合に不正な操作が行われたと判別するように構成したが、期間Ａ、Ｂの一方の時間のみを検出し、検出した一方の期間が所定の時間を超えた場合に不正な操作が行われたと判別するように構成してもよい。
【０２１７】
また、図１乃至図１７に示した実施形態では、前扉開放検出スイッチ８５は、機械式のスイッチを採用したが、フォトセンサ等の機械式以外のスイッチを採用してもよい。また、図１乃至図１７に示した実施形態では、前記カム板３０９の回動角を検出するカム板回動位置検出手段として光学式のフォトセンサ３１１を用いたが、カム板回動位置検出手段としては機械式のスイッチ等各種適用可能である。
【産業上の利用可能性】
【０２１８】
本発明は、スロットマシンに限らず、パチンコ機、メダルを使用するアレンジボール等の他の遊技機に応用することができる。
【図面の簡単な説明】
【０２１９】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンの制御システムを表したブロック図である。
【図４】図４は、本発明の一実施形態による施錠装置ユニットの分解斜視図である。
【図５】図５は、本発明の一実施形態による施錠装置ユニットの組み立てた状態の背面側から見た斜視図である。
【図６】図６は、本発明の一実施形態による施錠装置ユニットの組み立てた状態の正面側から見た斜視図である。
【図７】図７は、本発明の一実施形態による施錠装置ユニットの前扉用シリンダ錠７８及びその周辺部の組み立てた状態の左側から見た側面図である。
【図８】図８は、本発明の一実施形態による前扉用シリンダ錠の断面図である。
【図９】図９は、本発明の一実施形態による施錠装置ユニットの前扉用シリンダ錠、可動フック及びその周辺部の施錠を解除する操作が行われた状態の斜視図である。
【図１０】図１０は、本発明の一実施形態による開放検出スイッチ及びその周辺部を示す側面図である。
【図１１】図１１は、本発明の一実施形態による主電源装置の分解斜視図である。
【図１２】図１２は、本発明の一実施形態による設定錠及びその周辺部の断面図である。
【図１３】図１３は、本発明の一実施形態による印刷配線板及び可動接点の正面図である。
【図１４】図１４は、本発明の一実施形態による設定キー動作検出スイッチの出力及びこの出力に対する回路処理を示すタイミングチャートである。
【図１５】図１５は、本発明の一実施形態による入賞役の抽選確率の設定を数値情報表示部に表示する場合及び表示を禁止する場合における主制御基板の処理を示すフローチャートである。
【図１６】図１６は、本発明の一実施形態による主制御基板のＣＰＵが正規及び不正な設定の設定変更操作を判別する場合の処理の第１の部分をそれぞれ示すフローチャートである。
【図１７】図１７は、本発明の一実施形態による主制御基板のＣＰＵが正規及び不正な設定の設定変更操作を判別する場合の処理の第２の部分をそれぞれ示すフローチャートである。
【符号の説明】
【０２２０】
１…スロットマシン、２…筐体、３…前扉、４…上部パネル部、
５…下部パネル部、６…メダル受皿部、６ａ…メダル受皿、
７…操作卓、８…開口、９…壁面、１０…貫通孔、２０…主制御基板、
２１…ホッパ装置、２２…補助貯留部、２３…主電源装置、
２４…電源装置基板、２５…外部集中端子基板、２６、２７…固定板、
２８…水平面部、３０、３１ａ、３１ｂ…発光駆動部、
３２ａ、３２ｂ、３８ａ、３８ｂ…スピーカ、３３…中央表示基板、
３４…メダル選別装置、３４ａ…メダルセンサ、３５…ガイド部材、
３６…ガイド部材、３７…ガイド部材、３８ａ、３８ｂ…スピーカ、
４０…サブ制御基板、４１…パネル面、４２…表示窓、
４３…遊技状態表示部、４４…操作アシスト表示部、
４５…数値情報表示部、４６、４７ａ、４７ｂ…演出用照明部、
４８ａ、４８ｂ、６２ａ、６２ｂ…演出用放音部、
４９…液晶表示装置、４９ａ…表示窓、５０…パネル板、
５１…表示パネル、５２ａ、５２ｂ…左右の演出用照明部、
６１…メダル払出口、６２ａ、６２ｂ…演出用放音部、
７１…メダル投入部、７２…メダル投入口、
７３、７４…ベットボタン、７５…スタートレバー、
７６ａ、７６ｂ、７６ｃ…ストップボタン、７７…精算ボタン、
７８…前扉用シリンダ錠、７９…鍵穴、８１…電源スイッチ、
８２…リセット釦、８３…設定錠、８４…扉、
８５…前扉開放検出スイッチ、８６…設定変更釦、
８７…透明カバー、９０…前扉ロック機構部、９１…フォトセンサ、
９２…設定キー動作検出スイッチ、１００…リールユニット、
１０１ａ、１０１ｂ、１０１ｃ…リール、
１１０ａ、１１０ｂ、１１０ｃ…ステッピングモータ、
１３０…回胴装置基板、２００…ＣＰＵ、２０１…記憶部、
２０２…システムプログラム、２０３…メダルクレジット手段、
２０４…入賞抽選テーブル、２０５…内部抽選フラグ、
２０６…乱数発生装置、２０７…クロック信号発生器、２２０…基板ケース、
３００…施錠装置ユニット、３０１…本体フレーム、
３０２…連結杆、３０３、３０４…可動フック、３０５…作動杆、
３０６…ダンパー板、３０７、３０８…コイルバネ、
３０９…カム板、３１１、３１２…フォトセンサ、３１３…ローラ、
３１４、３１５…ネジ、３２１…取付板部、３２２…幅広部、
３２３…ネジ挿通孔、３２４…錠取付孔、３２５、３２６…ネジ孔、
３３０…支持板部、３３１、３４１、３５１…支持板部、
３３２…リベット孔、３３４…膨出部、３４２…張り出し部、
３４３…逃げ孔、３４４…膨出部、３４５…リベット孔、
３４６…スリット、３４７…発光部、３４８…受光部、
３５２、３５３…リベット孔、３５４…逃がし孔、
３６１…補強片、３７１…フランジ部、３７２、３７３…ネジ挿通孔、
３７４…貫通孔、３７５…ネジ、３７５ａ…ネジ部、
３７５ｂ…ネジ頭、３８１…基端部、３８２…リベット挿通孔、
３８３…リベット孔、３８４…係止爪、３９１…リベット挿通孔、
３９２…リベット挿通孔、３９３…段部、３９４…垂直板部、
３９５…傾斜板部、３９６…垂直板部、３９７…傾斜板部、
３９８…垂直板部、４００…数値情報表示部、４１１…基端部、
４１２…リベット挿通孔、４１３…リベット孔、４１４…係止爪、
４２０…リベット挿通孔、４２１…フック、４２２…スリット、
４２４…係合孔、４２５…スリット、４２６…リベット孔、
４２７…段部、４２８…切欠き、４２９…フック、
４３１…第１突部、４３２…第２突部、４３３…嵌合孔、
４４１…カム形状、４４２…リベット挿通孔、４４３…貫通部、
４４４…フック、４４５…切り欠き部、４５１…垂直板部、
４５２…傾斜板部、４５３…垂直板部、４５４…スリット、
４５５…フック、４５６…係合孔、４５７…摺動部、４５８…遮光片、
５０１、５０２、５０３、５０４、５０５、５０６、５０７…リベット、６００…前扉キー、６０１…軸部、６０２…嵌合部、６０３…摘み、
６０４、６０５…溝部、６１１…前扉用シリンダ錠本体、
６１２…前扉用シリンダ錠ロータ、６３０…前扉キー嵌合部、
６３１…円筒部、６３２…固定部材、６３３…ケース、
６４１…細径部、６４２…中径部、６４３…大径部、６４４…貫通孔、
６４５…段部、６４６…前面、６４７…段部、６４８…嵌合凸部、
６４９…ネジ孔、６５１、６５２…前側タンブラーピン、
６６１、６６２…摺動部材、６７１、６７２…後側タンブラーピン、
６８１、６８２…複数のコイルバネ、
６９１、６９２…回動規制部材挿入穴、
７０１、７０２…回動規制部材挿通孔、７１０…ネジ、７１１…本体部、
７１２…押圧部、７１３、７１４…リード線、７３１…筐体、
７３２…前面部、７３３、７３４…円柱部材、
７３５、７３６…フック部、７３７…取り付け孔、７３８…嵌合穴、
７３９…ねじりバネ、７４０…摘み部材、７４１…円形部、
７４２…嵌合部、８００…設定キー、８０１…板状部、
８０２、８０３…嵌合部、８０４、８０５…凹凸部、８０６…中間部、
８１１…設定用シリンダ錠本体、８１２…設定用シリンダ錠ロータ、
８３０…設定キー嵌合部、８３１…前面部、８３２…円筒部、
８３３…固定部材、８３４、８３５…開口、８３６…鍵穴、
８４１…太径部、８４２…中径部、８４３…細径部、
８４４…逆フランジ部、８４５…貫通孔、８４６…リング、
８４７…係止金具、８４８、８４９…ロック溝、
８５１、８５２…ロックプレート、８６１、８６２……キー挿通孔、
８６３…発光部、８６４…受光部、８６５…貫通部、
８７１…スイッチケース、８７２…印刷配線板、８７３…回転子、
８７４…可動接点、８８１…前側ケース半体、
８８２…後側ケース半体、８８３、８８４…ネジ、８８５…軸受部、
８８６…貫通孔、８９１、８９２、８９３…固定接点、
８９４、８９５、８９６…配線パターン、
８９７、８９８、８９９…半田付けランド、
９０１、９０２、９０３…リード線、９０４…絶縁部
【図１】
0005263810.tif 000002
【図２】
0005263810.tif 000003
【図３】
0005263810.tif 000004
【図４】
0005263810.tif 000005
【図５】
0005263810.tif 000006
【図６】
0005263810.tif 000007
【図７】
0005263810.tif 000008
【図８】
0005263810.tif 000009
【図９】
0005263810.tif 000010
【図１０】
0005263810.tif 000011
【図１１】
0005263810.tif 000012
【図１２】
0005263810.tif 000013
【図１３】
0005263810.tif 000014
【図１４】
0005263810.tif 000015
【図１５】
0005263810.tif 000016
【図１６】
0005263810.tif 000017
【図１７】
0005263810.tif 000018